(57)【特許請求の範囲】
【請求項１】
通信ネットワークにおける方法であって、
端末が使用できる各利用可能キャリアのカバー範囲を確定し、
各利用可能キャリアのカバー範囲の分布が予定分布モードに符合するかどうかを確定し、
上記予定分布モードに符合する場合に、少なくとも上記予定分布モードが決定した基準に基づいて、使用するコンポーネントキャリアを確定し、
上記通信ネットワークはキャリアアグリゲーション通信ネットワークであり、上記確定されたコンポーネントキャリアは上記端末により使用された複数のキャリアの1つであることを含む方法。
【請求項２】
上記予定分布モードは、各利用可能キャリアのカバー範囲が基本的に同じであることであり、上記基準は、各利用可能キャリアをいずれも候補コンポーネントキャリアとすることを含む請求項１に記載の方法。
【請求項３】
上記予定分布モードは、少なくとも一つの利用可能キャリアのカバー範囲が基本的に少なくとも他の一つの利用可能キャリアのカバー範囲内に含まれていることであり、上記基準は、少なくとも各利用可能キャリアのカバー範囲の大きさに基づいて候補コンポーネントキャリアを確定することを含む請求項１に記載の方法。
【請求項４】
上記予定分布モードは、少なくとも二つの利用可能キャリアのカバー範囲が基本的に異なり、かつ、一方のカバー範囲が他方のカバー範囲に包含されず、相互に一部の範囲がオーバーラップすることであり、上記基準は、少なくとも端末の位置、その移動方向、移動レートに基づいて候補コンポーネントキャリアを確定することを含む請求項１に記載の方法。
【請求項５】
少なくとも端末の位置、その移動方向、移動レートに基づいて候補コンポーネントキャリアを確定することは、
端末が、ある利用可能キャリアのエッジにあり当該利用可能キャリアから快速に遠ざかっている場合に、遠ざかる方向に対応する利用可能キャリアに高い候補コンポーネントキャリアとなる確率を付与し、
端末がある利用可能キャリアのエッジにあり当該利用可能キャリア内部へ移動し、又は端末がオーバーラップ領域においてオーバーラップ領域のエッジから遠ざかる位置にある場合に、少なくとも各利用可能キャリアのカバー範囲の大きさに基づいて候補コンポーネントキャリアを確定することを含む請求項４に記載の方法。
【請求項６】
上記遠ざかる方向に対応する利用可能キャリアが複数である場合に、少なくとも各利用可能キャリアのカバー範囲の大きさに基づいてこれら複数の各利用可能キャリアから候補コンポーネントキャリアを確定する請求項５に記載の方法。
【請求項７】
上記基準は、信号品質、アップリンクとダウンリンクの物理リソース数量、干渉の大きさ、及び負荷状況の中の少なくとも一つの要素を考慮することをさらに含む請求項２又は３に記載の方法。
【請求項８】
候補コンポーネントキャリアを確定する際に、カバー範囲の重要性が信号品質、アップリンクとダウンリンクの物理リソース数量の重要性より高く、信号品質、アップリンクとダウンリンクの物理リソース数量の重要性が干渉の大きさと負荷状況の重要性より高く、或いは、カバー範囲、信号品質、アップリンクとダウンリンクの物理リソース数量、干渉の大きさ、負荷状況の中の何れか一つの要素により単独に候補コンポーネントキャリアを確定し、或いは、その中の複数の要素により共同に候補コンポーネントキャリアを確定する請求項７に記載の方法。
【請求項９】
上記基準は、信号品質、アップリンクとダウンリンクの物理リソース数量、干渉の大きさ、負荷状況の中の少なくとも一つの要素を考慮することをさらに含む請求項４に記載の方法。
【請求項１０】
候補コンポーネントキャリアを確定する際に、端末の位置、その移動方向、移動レートの重要性が信号品質、アップリンクとダウンリンクの物理リソース数量の重要性より高く、信号品質、アップリンクとダウンリンクの物理リソース数量の重要性が干渉の大きさと負荷状況の重要性より高く、或いは、端末の位置、その移動方向、移動レート、信号品質、アップリンクとダウンリンクの物理リソース数量、干渉の大きさ、負荷状況の中の何れか一つの要素により単独に候補コンポーネントキャリアを確定し、或いは、その中の複数の要素により共同に候補コンポーネントキャリアを確定する請求項９に記載の方法。
【請求項１１】
上記基準は、信号品質、アップリンクとダウンリンクの物理リソース数量、干渉の大きさ、負荷状況の中の少なくとも一つの要素を考慮することをさらに含む請求項５又は６に記載の方法。
【請求項１２】
候補コンポーネントキャリアを確定する際に、カバー範囲、端末の位置、その移動方向、移動レートの重要性が信号品質、アップリンクとダウンリンクの物理リソース数量の重要性より高く、信号品質、アップリンクとダウンリンクの物理リソース数量の重要性が干渉の大きさと負荷状況の重要性より高く、或いは、カバー範囲、端末の位置、その移動方向、移動レート、信号品質、アップリンクとダウンリンクの物理リソース数量、干渉の大きさ、負荷状況の中の何れか一つの要素により単独に候補コンポーネントキャリアを確定し、或いは、その中の複数の要素により共同に候補コンポーネントキャリアを確定する請求項１１に記載の方法。
【請求項１３】
各利用可能キャリアのカバー範囲の分布が少なくとも二つの予定モードを含む場合に、唯一の候補コンポーネントキャリアを得るまで、一方のモードに対応する基準に従って候補コンポーネントキャリアを確定し、その後に他方のモードに対応する基準に従って上記候補コンポーネントキャリアのうち第2の候補コンポーネントキャリアを確定する請求項１〜６の何れか一項に記載の方法。
【請求項１４】
各利用可能キャリアのアクティベーションと配置状態を取得することをさらに含み、
候補コンポーネントキャリアを確定する際に、更に各利用可能キャリアのアクティベーションと配置状態を考慮し、アクティベーション状態にある利用可能キャリアの優先順位が既に配置されたがアクティベーションされていない利用可能キャリアより高く、既に配置されたがアクティベーションされていない利用可能キャリアの優先順位が配置されていない利用可能キャリアより高い請求項１〜６の何れか一項に記載の方法。
【請求項１５】
キャリアアグリゲーション通信ネットワークにおいてプライマリコンポーネントキャリアを更新する方法であって、
請求項１〜１４の何れか一項に記載の方法に従って新しいプライマリコンポーネントキャリアを確定し、
古いプライマリコンポーネントキャリアから新しいプライマリコンポーネントキャリアに移ることを含む方法。
【請求項１６】
上記古いプライマリコンポーネントキャリアは、初期のプライマリコンポーネントキャリア、即ち、端末が初期アクセスし又は無線リソース接続が再確立される際に用いるコンポーネントキャリアである請求項１５に記載の方法。
【請求項１７】
各利用可能キャリアのスペクトル情報を取得することをさらに含み、
候補コンポーネントキャリアを確定する際に、更に各利用可能キャリアの周波数と古いプライマリコンポーネントキャリアとの関係を考慮し、アクティベーションと配置状態とが同じの利用可能キャリアのうち、古いプライマリコンポーネントキャリアと同一の周波数帯域内にある利用可能キャリアは、より高い優先順位を有する請求項１５又は１６に記載の方法。
【請求項１８】
キャリアアグリゲーション通信ネットワークにおいてセカンダリコンポーネントキャリアを添加する方法であって、
請求項１〜１４の何れか一項に記載の方法に従って新しいセカンダリコンポーネントキャリアを確定し、
上記新しいセカンダリコンポーネントキャリアを添加することを含む方法。
【請求項１９】
通信ネットワークにおけるデバイスであって、
端末位置情報及び/又は端末位置に対応するキャリア分布情報を取得する端末情報取得ユニットと、
端末の位置に対応する各利用可能キャリアのカバー範囲の分布が予定分布モードに符合するかどうかを確定するキャリア分布モード確定ユニットと、
端末の位置に対応する各利用可能キャリアのカバー範囲が上記予定分布モードに符合する場合に、少なくとも、上記予定分布モードが決定した基準に基づいて使用するコンポーネントキャリアを確定するコンポーネントキャリア確定ユニットと、
確定された使用するコンポーネントキャリアを相手デバイスに通知する通知ユニットと、
を含み、
上記通信ネットワークはキャリアアグリゲーション通信ネットワークであり、上記確定されたコンポーネントキャリアは上記端末により使用された複数のキャリアの1つであるデバイス。
【請求項２０】
上記予定分布モードは、各利用可能キャリアのカバー範囲が基本的に同じであることであり、上記コンポーネントキャリア確定ユニットは、各利用可能キャリアをいずれも候補コンポーネントキャリアとするように配置される請求項１９に記載のデバイス。
【請求項２１】
上記予定分布モードは、少なくとも一つの利用可能キャリアのカバー範囲が基本的に少なくとも他の一つの利用可能キャリアのカバー範囲内に含まれていることであり、上記コンポーネントキャリア確定ユニットは、さらに少なくとも各利用可能キャリアのカバー範囲の大きさに基づいて候補コンポーネントキャリアを確定するように配置される請求項１９に記載のデバイス。
【請求項２２】
上記予定分布モードは、少なくとも二つの利用可能キャリアのカバー範囲が異なり、かつ、一方のカバー範囲が他方のカバー範囲に包含されず、相互に一部の範囲がオーバーラップすることであり、
上記端末情報取得ユニットは、さらに、上記端末の移動方向と移動レートに関する情報を取得するように配置され、
上記コンポーネントキャリア確定ユニットは、さらに、少なくとも上記端末の位置、その移動方向、移動レートに基づいて候補コンポーネントキャリアを確定するように配置される請求項１９に記載のデバイス。
【請求項２３】
上記コンポーネントキャリア確定ユニットは、さらに、
端末が、ある利用可能キャリアのエッジにあり当該利用可能キャリアから快速に遠ざかっている場合に、遠ざかる方向に対応する利用可能キャリアに高い候補コンポーネントキャリアとなる確率を付与し、
端末が、ある利用可能キャリアのエッジにあり当該利用可能キャリア内部へ移動し、又は端末がオーバーラップ領域においてオーバーラップ領域のエッジから遠ざかる位置にある場合に、少なくとも各利用可能キャリアのカバー範囲の大きさに基づいて候補コンポーネントキャリアを確定するように配置される請求項２２に記載のデバイス。
【請求項２４】
上記コンポーネントキャリア確定ユニットは、さらに、上記遠ざかる方向に対応する利用可能キャリアが複数である場合に、少なくとも各利用可能キャリアのカバー範囲の大きさに基づいてこれら複数の各利用可能キャリアから候補コンポーネントキャリアを確定するように配置される請求項２３に記載のデバイス。
【請求項２５】
上記コンポーネントキャリア確定ユニットは、さらに、少なくとも信号品質、アップリンクとダウンリンクの物理リソース数量、干渉の大きさ、負荷状況の中の少なくとも一つの要素に基づいて候補コンポーネントキャリアを確定するように配置される請求項２０又は２１に記載のデバイス。
【請求項２６】
上記コンポーネントキャリア確定ユニットは、さらに、候補コンポーネントキャリアを確定する際に、カバー範囲の重要性が信号品質、アップリンクとダウンリンクの物理リソース数量の重要性より高く、信号品質、アップリンクとダウンリンクの物理リソース数量の重要性が干渉の大きさと負荷状況の重要性より高く、或いは、カバー範囲、信号品質、アップリンクとダウンリンクの物理リソース数量、干渉の大きさ、負荷状況の中の何れか一つの要素により単独に候補コンポーネントキャリアを確定し、或いは、その中の複数の要素により共同に候補コンポーネントキャリアを確定するように配置される請求項２５に記載のデバイス。
【請求項２７】
上記コンポーネントキャリア確定ユニットは、さらに、少なくとも信号品質、アップリンクとダウンリンクの物理リソース数量、干渉の大きさ、負荷状況の中の少なくとも一つの要素に基づいて候補コンポーネントキャリアを確定するように配置される請求項２２に記載のデバイス。
【請求項２８】
上記コンポーネントキャリア確定ユニットは、さらに、候補コンポーネントキャリアを確定する際に、端末の位置、その移動方向、移動レートの重要性が信号品質、アップリンクとダウンリンクの物理リソース数量の重要性より高く、信号品質、アップリンクとダウンリンクの物理リソース数量の重要性が干渉の大きさと負荷状況の重要性より高く、或いは、端末の位置、その移動方向、移動レート、信号品質、アップリンクとダウンリンクの物理リソース数量、干渉の大きさ、負荷状況の中の何れか一つの要素により単独に候補コンポーネントキャリアを確定し、或いは、その中の複数の要素により共同に候補コンポーネントキャリアを確定するように配置される請求項２７に記載のデバイス。
【請求項２９】
上記コンポーネントキャリア確定ユニットは、さらに、少なくとも信号品質、アップリンクとダウンリンクの物理リソース数量、干渉の大きさ、負荷状況の中の少なくとも一つの要素に基づいて候補コンポーネントキャリアを確定するように配置される請求項２３又は２４に記載のデバイス。
【請求項３０】
上記コンポーネントキャリア確定ユニットは、さらに、候補コンポーネントキャリアを確定する際に、カバー範囲、端末の位置、その移動方向、移動レートの重要性が信号品質、アップリンクとダウンリンクの物理リソース数量の重要性より高く、信号品質、アップリンクとダウンリンクの物理リソース数量の重要性が干渉の大きさと負荷状況の重要性より高く、或いは、カバー範囲、端末の位置、その移動方向、移動レート、信号品質、アップリンクとダウンリンクの物理リソース数量、干渉の大きさ、負荷状況の中の何れか一つの要素により単独に候補コンポーネントキャリアを確定し、或いは、その中の複数の要素により共同に候補コンポーネントキャリアを確定するように配置される請求項２９に記載のデバイス。
【請求項３１】
上記コンポーネントキャリア確定ユニットは、さらに、各利用可能キャリアのカバー範囲の分布が少なくとも二つの予定モードを含む場合に、唯一の候補コンポーネントキャリアを得るまで、一方のモードに対応する基準に従って複数の候補コンポーネントキャリアを候補し、その後に他方のモードに対応する基準に従って、上記候補コンポーネントキャリアのうち第2の候補コンポーネントキャリアを確定するように配置される請求項１９〜２４の何れか一項に記載のデバイス。
【請求項３２】
各利用可能キャリアのアクティベーションと配置状態を取得するキャリア状態取得ユニットをさらに含み、
上記コンポーネントキャリア確定ユニットは、さらに、コンポーネントキャリアを確定する際に、更に各利用可能キャリアのアクティベーションと配置状態を考慮し、アクティベーション状態にある利用可能キャリアの優先順位が既に配置されたがアクティベーションされていない利用可能キャリアより高く、既に配置されたがアクティベーションされていない利用可能キャリアの優先順位が配置されていない利用可能キャリアより高くなるように配置される請求項１９〜２４の何れか一項に記載のデバイス。
【請求項３３】
上記コンポーネントキャリアは、プライマリコンポーネントキャリアである請求項１９〜２４の何れか一項に記載のデバイス。
【請求項３４】
上記コンポーネントキャリア確定ユニットは、さらに、候補コンポーネントキャリアを確定する際に、更に各利用可能キャリアの周波数と古いプライマリコンポーネントキャリアとの関係を考慮し、アクティベーションと配置状態とが同じの利用可能キャリアのうち、古いプライマリコンポーネントキャリアと同一の周波数帯域内にある利用可能キャリアは、より高い優先順位を有するように配置される請求項３３に記載のデバイス。
【請求項３５】
上記コンポーネントキャリアは、セカンダリコンポーネントキャリアである請求項１９〜２４の何れか一項に記載のデバイス。
【請求項３６】
キャリアアグリゲーションネットワークにおける基地局であって、
上記基地局は、請求項１９〜３５の何れか一項に記載のデバイスであり、上記相手デバイスが上記基地局と通信する端末である基地局。
【請求項３７】
請求項３６に記載の基地局と、それと通信する端末とを含む通信システム。
【請求項３８】
キャリアアグリゲーションネットワークに適する端末であって、
上記端末は、請求項１９〜３５の何れか一項に記載のデバイスであり、上記相手デバイスが上記端末と通信する基地局である端末。
【請求項３９】
請求項３８に記載の端末と、それと通信する基地局とを含む通信システム。
【発明の詳細な説明】
【技術分野】
【０００１】
本開示は、コンポーネントキャリアを選択する方法、基地局、端末及び通信システムに関する。
【背景技術】
【０００２】
将来のＬＴＥ−Ａ（Ｌｏｎｇ  Ｔｅｒｍ  Ｅｖｏｌｕｔｉｏｎ−Ａｄｖａｎｃｅｄ:ロングタームエボリューション−アドバンスト）システムは、１００ＭＨｚに達する伝送帯域幅をサポートすべきであるが、ＬＴＥ（Ｌｏｎｇ  Ｔｅｒｍ  Ｅｖｏｌｕｔｉｏｎ:ロングタームエボリューション）規格でサポートし得る最大伝送帯域幅は２０ＭＨｚであるため、複数のキャリアをアグリゲーションして、一層高い伝送帯域幅を実現する必要がある。キャリアアグリゲーション(Ｃａｒｒｉｅｒ  Ａｇｇｒｅｇａｔｉｏｎ)は、３ＧＰＰ（３ＧＰＰ：３ｒｄ  Ｇｅｎｅｒａｔｉｏｎ  Ｐａｒｔｎｅｒｓｈｉｐ  Ｐｒｏｊｅｃｔ第３世代移動体通信システムの標準化プロジェクト）が将来の移動通信システムの一層高い伝送帯域幅のニーズをサポートするために提出した、複数のキャリアをアグリゲーションして連携伝送を行う技術である。アグリゲーションするキャリアのスペクトル上での位置に基づいて、連続キャリアアグリゲーションと非連続キャリアアグリゲーションとに分けることができ、ＬＴＥ−Ａが同時にこの二つのアグリゲーションシーンをサポートする。３ＧＰＰは、キャリアアグリゲーション技術を導入するとともに上位互換性（ｂａｃｋｗａｒｄ  ｃｏｍｐａｔｉｂｉｌｉｔｙ）を考えて、これは、これから長い時間内で、キャリアアグリゲーションをサポートする端末とキャリアアグリゲーションサポートしない端末が長期的に共存し、キャリアアグリゲーションをサポートする端末が複数のキャリアを同時にアクセスでき、キャリアアグリゲーションをサポートしない端末がある一つのキャリアのみをアクセスできることを意味している。
【発明の概要】
【発明が解決しようとする課題】
【０００３】
キャリアアグリゲーションシーンにおける無線リソース管理を簡略化するために、ＬＴＥ−Ａにおいてプライマリコンポーネントキャリア（ＰＣＣ：Ｐｒｉｍａｒｙ  Ｃｏｍｐｏｎｅｎｔ  Ｃａｒｒｉｅｒ）の概念を導入する。従って、キャリアアグリゲーションにおけるキャリア管理については、分散型管理から集中型管理の方向へ発展する。従って、プライマリコンポーネントキャリアは、必ず、一般的なキャリアの有しない機能を備えて、無線リソース管理において重要な作用を担う。
【０００４】
端末が初期アクセスするためのセルに対応するキャリアは、自ずからプライマリコンポーネントキャリアに選択され、但し、ユーザーサービス品質ニーズの向上に伴って、新しいキャリアを増加してキャリアアグリゲーションを形成する必要があるかもしれない。端末、基地局及びネットワーク状況の変化に伴って、さらに、幾つかの使用中のキャリアを取り替えるか又は削除する可能性がある。ユーザーの移動及びアグリゲーションしたキャリア性能が異なるので、プライマリコンポーネントキャリアに対して新たに指定する必要があるかもしれない。
【課題を解決するための手段】
【０００５】
以下、本発明の概要を説明し、本発明のいくつかの方面の基本理解を提供する。理解すべきことは、この概要は、本発明の限定的記述ではない。それは、本発明のキーポイント或いは重要な部分を確定するためではなく、本発明の範囲を限定するためでもない。その目的は、簡略化した形式で、いくつかの概念を提出し、それを後の詳細な記述の基にすることである。
【０００６】
本願は、コンポーネントキャリアを選択する方法と、基地局と端末を含むデバイスとを提供することを一つの目的とする。本願は、さらに、プライマリコンポーネントキャリアを更新する方法と、基地局と端末を含むデバイス、及びセカンダリコンポーネントキャリアを添加する方法と、基地局と端末を含むデバイス、並びに上記基地局と端末を含む通信システムを提供することを目的とする。
【０００７】
従って、本願の一つの方面によれば、キャリアアグリゲーション通信ネットワークにおいてコンポーネントキャリアを選択する方法を提供し、端末が使用できる各利用可能キャリアのカバー範囲を確定し、各利用可能キャリアのカバー範囲の分布が予定分布モードに符合するかどうかを確定し、上記予定分布モードに符合する場合に、少なくとも上記分布モードが決定した基準に基づいて、使用するコンポーネントキャリアを確定することを含む。
【０００８】
本願の他の方面によれば、キャリアアグリゲーション通信ネットワークにおいてプライマリコンポーネントキャリアを更新する方法であって、第１方面に記載の方法を使用して新しいプライマリコンポーネントキャリアを確定し、古いプライマリコンポーネントキャリアから新しいプライマリコンポーネントキャリアに移ることを含む方法を提供した。
【０００９】
本願の他の方面によれば、キャリアアグリゲーション通信ネットワークにおいてセカンダリコンポーネントキャリアを添加する方法であって、上記第１方面に記載の方法を使用して新しいセカンダリコンポーネントキャリアを確定し、上記新しいセカンダリコンポーネントキャリアを添加することを含む方法を提供した。
【００１０】
本願の他の方面によれば、キャリアアグリゲーション通信ネットワークにおけるデバイスであって、端末位置情報及び/又は端末に対応するキャリア分布情報を取得する端末情報取得ユニットと、端末の位置に対応する各利用可能キャリアのカバー範囲の分布が予定分布モードに符合するかどうかを確定するキャリア分布モード確定ユニットと、端末の位置に対応する各利用可能キャリアのカバー範囲が上記予定分布モードに符合する場合に、少なくとも、上記分布モードが決定した基準に基づいて使用するコンポーネントキャリアを確定するコンポーネントキャリア確定ユニットと、確定した使用するコンポーネントキャリアを相手デバイスに通知する通知ユニットと、を含むデバイスを提供した。
【００１１】
上記コンポーネントキャリアは、プライマリコンポーネントキャリアであってもよく、セカンダリコンポーネントキャリアであってもよい。
【００１２】
上記デバイスは、基地局であってもよく、上記相手デバイスが上記基地局と通信する端末である。
【００１３】
上記デバイスは、端末であってもよく、上記相手デバイスが上記端末と通信する基地局である。
【００１４】
本願のさらに一つの方面によれば、上記基地局及び／又は端末を含む通信システムをさらに提供する。
【００１５】
上記各実施方案によれば、使用するコンポーネントキャリアを合理的に選択することができる。
【００１６】
本願は、プライマリコンポーネントキャリアを更新する方法、及び対応する基地局、端末、通信システムを提供することを他の一つの目的とする。
【００１７】
従って、本願の一つの方面によれば、キャリアアグリゲーション通信ネットワークにおいて、プライマリコンポーネントキャリアを更新する方法であって、端末、基地局及び／又はプライマリコンポーネントキャリアの状態情報を取得し、上記状態情報が予定条件に符合するかどうかを確定し、上記予定条件に符合する場合に、新しいプライマリコンポーネントキャリアを用いて古いプライマリコンポーネントキャリアを取り替えることを含む方法を提供した。
【００１８】
本願の他の方面によれば、キャリアアグリゲーション通信ネットワークにおける基地局であって、端末、基地局及び／又はプライマリコンポーネントキャリアの状態情報を取得する状態取得ユニットと、上記状態情報が予定条件に符合するかどうかを確定する状態確定ユニットと、予定条件に符合する場合に、新しいプライマリコンポーネントキャリアを用いて古いプライマリコンポーネントキャリアを取り替えるプライマリコンポーネントキャリア更新ユニットとを含む基地局を提供した。
【００１９】
本願の一つの方面によれば、キャリアアグリゲーション通信ネットワークに適する端末であって、基地局から「無線リソース制御」再配置情報を受信する再配置情報受信ユニットと、上記「無線リソース制御」再配置情報に含まれている無線リソース配置情報に基づいて新しいプライマリコンポーネントキャリアを配置する無線リソース配置ユニットと、予め設定した又は基地局の送信したアクティベーション解除命令に基づいて古いコンポーネントキャリアをアクティベーション解除するアクティベーション解除ユニットとを含む端末を提供した。
【００２０】
本願のさらに一つの方面によれば、上記基地局と端末とを含む通信システムをさらに提供する。
【００２１】
本願は、セカンダリコンポーネントキャリアを更新する方法とデバイス、及び対応する基地局、端末、通信システムを提供することを他の一つの目的とする。
【００２２】
従って、本願の一つの方面によれば、キャリアアグリゲーション通信ネットワークにおいてセカンダリコンポーネントキャリアを更新する方法であって、端末、基地局及び／又はセカンダリコンポーネントキャリアの状態情報を取得し、上記状態情報が予定条件に符合するかどうかを確定し、予定条件に符合する場合に、新しいセカンダリコンポーネントキャリアを添加し、又は新しいセカンダリコンポーネントキャリアで古いセカンダリコンポーネントキャリアを取り替えることを含む方法を提供した。
【００２３】
本願の他の方面によれば、キャリアアグリゲーション通信ネットワークにおける基地局であって、端末、基地局及び／又はセカンダリコンポーネントキャリアの状態情報を取得する状態取得ユニットと、上記状態情報が予定条件に符合するかどうかを確定する状態確定ユニットと、予定条件に符合する場合に、新しいセカンダリコンポーネントキャリアを添加し、又は新しいセカンダリコンポーネントキャリアで古いセカンダリコンポーネントキャリアを取り替えるセカンダリコンポーネントキャリア更新ユニットとを含む基地局を提供した。
【００２４】
本願の他の方面によれば、キャリアアグリゲーション通信ネットワークに適する端末であって、基地局から「無線リソース制御」再配置情報を受信する再配置情報受信ユニットと、上記「無線リソース制御」再配置情報に含まれている無線リソース配置情報に基づいて新しいセカンダリコンポーネントキャリアを配置する無線リソース配置ユニットとを含む端末を提供した。
【００２５】
本願のさらに一つの方面によれば、上記基地局と端末とを含む通信システムをさらに提供する。
【００２６】
上記各実施方案によれば、使用するコンポーネントキャリアを効率的に更新することができる。
【図面の簡単な説明】
【００２７】
以下のように図面に基づいて、本発明の実施例を説明することにより、本発明の以上の目的、特徴、長所及びその他の目的、特徴、長所はより明らになるだろう。図面において、同一或いは対応する技術特徴、部品は、同一或いは対応する符号で示す。上記図面は、以下の詳細な説明とともに、本明細書に含まれ、且つ本明細書の一部を形成し、そして、さらに本発明の好適な実施例を挙げて説明し、及び本発明の原理と利点を解釈するのに用いられる。
【００２８】
【図１】本願の第１の実施形態に基づくコンポーネントキャリアを選択する方法のフローチャートである。
【図２】本願の第１の実施形態に基づく方法が適用される第１のシーンの模式図である。
【図３】本願の第１の実施形態に基づく方法が適用される第２のシーンの模式図である。
【図４】本願の第１の実施形態に基づく方法が適用される第３のシーンの模式図である。
【図５】図４に示す第３のシーンにおける端末位置及びその運動状態の三つの場合の模式図である。
【図６】図４に示す第３のシーンにおける端末位置及びその運動状態の三つの場合の模式図である。
【図７】図４に示す第３のシーンにおける端末位置及びその運動状態の三つの場合の模式図である。
【図８】本願の他の実施形態に基づくコンポーネントキャリアを選択する方法のフローチャートである。
【図９】本願の一実施形態に基づくコンポーネントキャリアを選択するのに適する端末の構成模式図である。
【図１０】本願の他の一実施形態に基づくコンポーネントキャリアを選択するのに適する端末の構成模式図である。
【図１１】本願のさらに他の実施形態に基づくコンポーネントキャリアを選択するのに適する端末の構成模式図である。
【図１２】本願の一実施形態に基づくコンポーネントキャリアを選択するのに適する基地局の構成模式図である。
【図１３】本願の他の実施形態に基づくコンポーネントキャリアを選択するのに適する基地局の構成模式図である。
【図１４】本願のさらに他の実施形態に基づくコンポーネントキャリアを選択するのに適する基地局の構成模式図である。
【図１５】本願の一実施形態に基づくプライマリコンポーネントキャリアを更新する方法のフローチャートである。
【図１６】上記したプライマリコンポーネントキャリアを更新する方法における切り替えフローの模式図である。
【図１７】本願の他の実施形態に基づくプライマリコンポーネントキャリアを更新する方法のフローチャートである。
【図１８】上記したプライマリコンポーネントキャリアを更新する方法における再配置フローの模式図である。
【図１９】上記再配置フローの一つの変形の模式図である。
【図２０】図１６、１８、１９のそれぞれに示すフローの変形の模式図である。
【図２１】図１６、１８、１９のそれぞれに示すフローの変形の模式図である。
【図２２】図１６、１８、１９のそれぞれに示すフローの変形の模式図である。
【図２３】図１６、１８、１９のそれぞれに示すフローの他の変形の模式図である。
【図２４】図１６、１８、１９のそれぞれに示すフローの他の変形の模式図である。
【図２５】図１６、１８、１９のそれぞれに示すフローの他の変形の模式図である。
【図２６】本願の一実施形態に基づくセカンダリコンポーネントキャリアを更新する方法のフローチャートである。
【図２７】上記したセカンダリコンポーネントキャリアを更新する方法における再配置フローの模式図である。
【図２８】上記再配置フローの変形の模式図である。
【図２９】本願の一実施形態に基づくプライマリコンポーネントキャリアを更新するのに適する基地局の構成模式図である。
【図３０】本願の他の実施形態に基づくプライマリコンポーネントキャリアを更新するのに適する基地局と対応する端末との構成模式図である。
【図３１】本願のさらに他の実施形態に基づくプライマリコンポーネントキャリアを更新するのに適する基地局と対応する端末との構成模式図である。
【図３２】本願の一実施形態に基づくセカンダリコンポーネントキャリアを更新するのに適する基地局の構成模式図である。
【図３３】本願の他の実施形態に基づくセカンダリコンポーネントキャリアを更新するのに適する基地局と対応する端末との構成模式図である。
【発明を実施するための形態】
【００２９】
以下、図面に基づいて、本発明の例示的な実施例を記述する。明らか、簡明のために、明細書において実際の実施形態の全部特徴を記述しない。但し、理解すべきことは、開発者の具体的な目標を実現するように、これらの実際の実施例を開発する過程で実施形態に特定する決定をしなければならず、例えば、システム及び業務に関する制限条件に適い、且つこれら制限条件は、実施形態が異なるに伴って変わる可能性がある。なお、さらに、理解すべきことは、開発仕事が複雑で、時間がかかる可能性があるが、本開示されている内容に得意な当業者にとって、このような開発仕事はきまり通り行う任務に過ぎない。
【００３０】
ここで、さらに説明する必要がある点は、不必要な内容によって本発明をぼかすことを避けるために、図面において、少なくとも本発明の方案に緊密に関する装置構成及び／又は処理ステップのみを示し、本発明に関係がない他の内容を省略した。
【００３１】
特に、接続関係と情報の流れに係る場合に、図面における図示と明細書における記述は、発明に緊密に関する部分のみに係り、全部の接続と全部の情報流れを図示又は列挙しているわけではない。
【００３２】
コンポーネントキャリアの選択
第１の実施形態
本願において、キャリアアグリゲーション通信ネットワークで、端末と基地局とが使用できるキャリアは、利用可能キャリアと称される。端末が既に使用しているキャリアは、コンポーネントキャリア(Ｃｏｍｐｏｎｅｎｔ  Ｃａｒｒｉｅｒ)と称され、コンポーネントキャリアも利用可能キャリアである。キャリアアグリゲーションモードで作業する端末のコンポーネントキャリアは、一つのプライマリコンポーネントキャリア（ＰＣＣ：Ｐｒｉｍａｒｙ  Ｃｏｍｐｏｎｅｎｔ  Ｃａｒｒｉｅｒ）と、少なくとも一つのセカンダリコンポーネントキャリア（ＳＣＣ：Ｓｅｃｏｎｄａｒｙ  Ｃｏｍｐｏｎｅｎｔ  Ｃａｒｒｉｅｒ）を含む。
【００３３】
キャリアアグリゲーション通信ネットワークにおいて、基地局と端末は、異なる周波数帯域にあるキャリアを用いて通信を行うことができる。周波数帯域が異なるキャリアにとって、基地局アンテナのカバー範囲もよく変化する。この点を考えて、本願は、異なるカバー範囲分布モードに対して、異なるコンポーネントキャリア選択策略を用いることを提出している。
【００３４】
従って、図１に示すように、キャリアアグリゲーション通信ネットワークにおいてコンポーネントキャリアを選択する方法を提供し、端末が使用できる各利用可能キャリアのカバー範囲を確定し（ステップ１０２）、各利用可能キャリアのカバー範囲の分布が予定分布モードに符合するかどうかを確定し（ステップ１０４）、上記予定分布モードに符合する場合に、少なくとも、上記分布モードが決定した基準に基づいて、使用するコンポーネントキャリアを確定する（ステップ１０６）ことを含む。
【００３５】
基地局にとって、基地局の全部の利用可能キャリアのカバー範囲は既知である。従って、端末の位置に基づいて、端末が使用できる各利用可能キャリアのカバー範囲を得ることができる。なお、端末がある利用可能キャリアを使用できるとは、端末が当該利用可能キャリアのカバー範囲内にあることを指す。端末の位置は、複数の基地局により連携的に位置決められてもよく、端末が衛星位置決めシステム、例えばＧＰＳ（グローバル・ポジショニング・システム）を介して確定され基地局に提供してもよい。
【００３６】
前述のように、本願は、カバー範囲の分布モードに基づいてコンポーネントキャリア選択策略を調整することを提出している。本願は、三つの応用シーンを想定し、図２〜４にそれぞれ示すように、各シーンで異なるコンポーネントキャリア選択策略を用いる。もちろん、その中の一つ又は二つの応用シーンのみを考えるか、或いは、さらに多い応用シーンを考えさらに多い選択策略を設置してもよい。簡明のために、本願が挙げる例示において、二つの利用可能キャリアしかないが、実際の応用で複数の利用可能キャリアがあってもよい。
【００３７】
第１の応用シーン、即ち第１の利用可能キャリアカバー範囲分布モードは、図２に示すようである。当該分布モードにおいて、各基地局２１０、２２０、２３０は、二つのキャリアＦ１とＦ２をそれぞれ使用し、且つ、Ｆ１、Ｆ２に対応するセルのカバー範囲が基本的に重なり合うので、ほぼ同じカバー領域を提供できる。この場合に、Ｆ１とＦ２は、同じキャリア周波数帯域内にある可能性があり、典型的な連続的キャリアアグリゲーションである。
【００３８】
当該応用シーンにおいて、端末２５０がセルカバー範囲にあると、同時に二つのキャリアＦ１、Ｆ２のカバー範囲内にある。従って、この場合に、他の条件を考えないと、二つのキャリアＦ１、Ｆ２は、同等の地位を有し、その中のキャリアＦ１又はＦ２の何れか一つを選択して新しいコンポーネントキャリアとし、又は、さらに他の条件を考えてその中から一つのキャリアを選択することができる。
【００３９】
例えば、各キャリアの信号品質、干渉の大きさ、負荷状況、アップリンクとダウンリンクの物理リソース数量（例えば、ＰＤＣＣＨ（下り物理層制御チャネル）等）をコンポーネントキャリアの選択依拠とすることができる。具体的には、端末にとって、当該端末が、あるキャリア上での信号品質が高く、受ける干渉が小さく、当該キャリアの負荷が相対的に低く、それが持っているアップリンクとダウンリンクの物理リソースが多くなるほど、当該キャリアがコンポーネントキャリアに選択される確率が相対的に大きくなる。
【００４０】
以上で考えた各種の要素は、異なる優先順位又は異なる重みを有してもよい。
【００４１】
各種の要素の優先順位を設定する場合に、高い優先順位を有する要素に基づいて策定する。例えば、信号品質、アップリンクとダウンリンクの物理リソース数量、干渉の大きさ、負荷状況に対して何れかの順序の優先順位を設定してもよく、つまり、優先順位に基づく設定は、上記要素の中の何れか一つに基づいて候補コンポーネントキャリアを確定してもよい。または、上記要素に対して異なる優先順位グループを設置してもよく、例えば、信号品質、アップリンクとダウンリンクの物理リソース数量の優先順位が干渉の大きさと負荷状況の優先順位より高く、又は逆の優先順位を設置し、又は、異なる要素又は異なる数量の要素を含む異なる優先順位グループを設置する。つまり、優先順位グループと優先順位グループの優先順位の設定に基づいて、単独的に、何れか１グループの要素に基づいて候補コンポーネントキャリアを確定してもよい。
【００４２】
上記各優先順位グループの内部において、例えば、信号品質、及びアップリンク、ダウンリンク物理リソース数量が構成するグループで、各種の要素に対して重みを設置してもよい（同じ又は場合によって異なってもよい）。
【００４３】
各種の要素に対して異なる重みを設置する場合に、各種の要素がコンポーネントキャリアの選択に対する影響を総合的に考える。実際応用に応じて、任意に重み分布を設定することができる。一般的に、信号品質、アップリンクとダウンリンクの物理リソース数量の重みが干渉の大きさと負荷状況の重みより高くなるように設定することができる。
【００４４】
第２の応用シーン、即ち第２の利用可能キャリアカバー範囲分布モードにおいて、図３に示すように、各基地局３１０、３２０、３３０は、二つのキャリアＦ３とＦ４をそれぞれ使用し、そして、Ｆ４のカバー範囲がＦ３のカバー範囲より大きく、且つＦ３のカバー範囲をほぼ含み、Ｆ４に対応するセルが主にカバレッジを保証し、Ｆ３に対応するセルが主にスループットを向上する。この場合に、Ｆ３とＦ４は、異なるキャリア周波数帯域内にある可能性があって、非連続性キャリアアグリゲーションに属する。
【００４５】
当該応用シーンにおいて、端末２５０がＦ４のカバー範囲内にあるがＦ３のカバー範囲内にない場合に、利用可能キャリアがＦ４だけであるので、キャリア選択の問題がない。端末２５０が同時に二つのキャリアＦ３、Ｆ４のカバー範囲にある場合に、キャリア選択問題がある。本願が提出する一つの実施形態に従って、この場合に、他の条件を考えないと、カバー範囲が大きいキャリア、即ちＦ４を選択して新しいコンポーネントキャリアとすることができる。カバー範囲が大きいキャリアが複数で、且つカバー範囲が基本的に同じであると、さらに、第１シーンの選択策略に従ってさらにコンポーネントキャリアを選択し、以下では、これを詳細に説明する。
【００４６】
もちろん、第１の応用シーンに類似して、さらに他の条件を考えてその中から一つのキャリアを選択してもよい。
【００４７】
例えば、同様に、各キャリアの信号品質、干渉の大きさ、負荷状況、アップリンクとダウンリンクの物理リソース数量（例えば、ＰＤＣＣＨ等）をコンポーネントキャリアの選択依拠とすることができる。具体的には、端末にとって、当該端末が、あるキャリア上での信号品質が高く、受ける干渉が小さく、当該キャリアの負荷が相対的に低く、それが持っているアップとダウンの物理リソースが多くなるほど、当該キャリアがコンポーネントキャリアに選択される確率が相対的に大きくなる。
【００４８】
以上で考えた各種の要素は、利用可能カバー範囲を含み、異なる優先順位又は異なる重みを有してもよい。
【００４９】
各種の要素の優先順位を設定する場合に、高い優先順位を有する要素に基づいて策定する。例えば、利用可能キャリアカバー範囲、信号品質、アップリンクとダウンリンクの物理リソース数量、干渉の大きさ、負荷状況に対して何れかの順序の優先順位を設定してもよく、つまり、優先順位の設定に基づいて、上記要素の中の何れか一つに基づいて候補コンポーネントキャリアを確定してもよい。又は、上記要素に対して異なる優先順位グループを設置してもよく、例えば、カバー範囲の優先順位が信号品質、アップリンクとダウンリンクの物理リソース数量の優先順位より高く、信号品質、アップリンクとダウンリンクの物理リソース数量の優先順位が干渉の大きさと負荷状況の優先順位より高く、又は逆の優先順位を設置し、又は、異なる要素又は異なる数量の要素を含む異なる優先順位グループを設置する。つまり、優先順位グループと優先順位グループの優先順位の設定に基づいて、単独的に、何れか１グループの要素に基づいて候補コンポーネントキャリアを確定してもよい。
【００５０】
上記各優先順位グループの内部において、例えば、信号品質、及びアップリンク、ダウンリンク物理リソース数量が構成するグループで、各種の要素に対して重みを設置してもよい（同じ又は場合によって異なってもよい）。
【００５１】
各種の要素に対して異なる重みを設置する場合に、各種の要素がコンポーネントキャリアの選択に対する影響を総合的に考える。実際応用に応じて、任意の重み分布を設定することができる。一般的に、カバー範囲の重みが、信号品質、アップリンクとダウンリンクの物理リソース数量の重みより高く、信号品質、アップリンクとダウンリンクの物理リソース数量の重みが干渉の大きさと負荷状況の重みより高くなるように設定することができる。
【００５２】
第３の応用シーン、即ち第３の利用可能キャリアカバー範囲分布モードにおいて、図４に示すように、各基地局４１０、４２０、４３０は、二つのキャリアＦ５とＦ６をそれぞれ使用し、二つの利用可能キャリアのカバー範囲が基本的に異なり、かつ、一方のカバー範囲が他方のカバー範囲に包含されず、相互に一部の範囲がオーバーラップし、Ｆ５に対応するセルが主にカバレッジを保証し、Ｆ６に対応するセルが主にスループットを向上する（又は逆に）。本応用シーンの特点は、Ｆ６に対応するセルアンテナがＦ５に対応するセルにおけるエッジ地区を指すことにある。このように、当該応用シーンがＦ５セルエッジ地区のスループットを大きく向上する。この場合に、Ｆ５とＦ６は、異なるキャリア周波数帯域内にある可能性があって、非連続性キャリアアグリゲーションに属する。
【００５３】
当該応用シーンにおいて、端末２５０がＦ５のカバー範囲内のみにあるか又はＦ６のカバー範囲内のみにある場合に、利用可能キャリアがＦ５又はＦ６だけであるので、キャリア選択問題がない。端末２５０が同時に二つのキャリアＦ５、Ｆ６のカバー範囲にある場合に、即ち、二つの利用可能キャリアカバー領域のオーバーラップ領域内にある場合に、キャリア選択問題がある。
【００５４】
本願が提出する一つの実施形態に従って、この場合に、他の条件を考えないと、少なくとも、端末の位置、その移動方向、及び移動レートに基づいて、候補コンポーネントキャリアを確定することができる。
【００５５】
本出願において、端末の位置及びその運動の三つのモードを想定し、図５〜図７に示すようである。但し、端末の位置及びその運動は、他の区分方式を有してもよく、ここの三つのモードも、変化、分割、合併してもよい。
【００５６】
図５に示すように、第１のモードは、端末２５０が一つの利用可能キャリアＦ５のエッジにあって当該利用可能キャリアから遠ざかっている。この場合に、端末が当該利用可能キャリアから快速に遠ざかっていると、遠ざかる方向に対応する利用可能キャリア（ここで、Ｆ６）に高い候補コンポーネントキャリアとなる確率を付与する。もちろん、直接に遠ざかる方向に対応するキャリアを選択して候補コンポーネントキャリアとしてもよく、つまり、上記確率が１００％である。上記遠ざかる方向に対応する利用可能キャリアが複数である（Ｆ６以外に他の利用可能キャリアがある）と、少なくとも、カバー範囲の大きさに基づいてこれら複数の利用可能キャリアから候補コンポーネントキャリアを確定し、つまり、前文で記述した第１の又は第２の応用シーンに類似する。
【００５７】
以上、「快速」に遠ざかることについて言及した。ここで、「快速」の意味とは、その速度に基づいて、端末が現在位置するキャリアカバー範囲を直ぐ脱離し、小さい範囲内の運動ではないことを予期することを指す。例えば、端末ユーザーが小さい範囲内で動くと、当該キャリア範囲を脱離する（例えば、他の場所へ行く）意図がない可能性があるので、この際にキャリアを更新すれば不要な操作を招く。具体的な応用で、「快速」が一体どのぐらいの速度であるかは、実際応用に応じて具体的に設定できる。
【００５８】
図６に、他の端末位置と運動モードを示し、即ち、端末２５０は、ある利用可能キャリアＦ５のエッジに位置し且つ当該利用可能キャリアＦ５の内部へ向かって移動する。この際、少なくとも利用可能キャリアＦ５とＦ６のカバー範囲の大きさに基づいて候補コンポーネントキャリアを確定し、即ち、第２の応用シーンに類似する。カバー範囲がちょうど同じであれば、第１のシーンの選択策略を応用する。
【００５９】
図７に、他の端末位置と運動モードを示し、即ち、端末２５０は、利用可能キャリアＦ５とＦ６のオーバーラップ領域においてオーバーラップ領域のエッジから遠ざかる位置にあり、即ちオーバーラップ領域の内部にある。この際、少なくとも利用可能キャリアＦ５とＦ６のカバー範囲の大きさに基づいて候補コンポーネントキャリアを確定し、即ち、第２の応用シーンに類似する。カバー範囲がちょうど同じであれば、第１のシーンの選択策略を応用する。
【００６０】
もちろん、第１の応用シーンと第２の応用シーンに類似し、さらに他の条件を考えてその中から一つのキャリアを選択してもよい。
【００６１】
例えば、同様に、各キャリアの信号品質、干渉の大きさ、負荷状況、アップリンクとダウンリンクの物理リソース数量（例えば、ＰＤＣＣＨ等）をコンポーネントキャリアの選択依拠とすることもできる。これら要素は、端末の位置、その移動方向及び移動レート、各利用可能キャリアのカバー範囲を含み、異なる優先順位又は異なる重みを有してもよい。
【００６２】
各種の要素の優先順位を設定する場合に、高い優先順位を有する要素に基づいて策定する。例えば、端末の位置、端末移動方向、端末移動レート、利用可能キャリアのカバー範囲、信号品質、アップリンクとダウンリンクの物理リソース数量、干渉の大きさ、負荷状況に対して何れかの順序の優先順位を設定してもよく、つまり、優先順位の設定に基づいて、上記要素の中の何れか一つに基づいて候補コンポーネントキャリアを確定してもよい。又は、上記要素に対して異なる優先順位グループを設置してもよく、例えば、端末の位置、端末移動方向、端末移動レート、及び利用可能キャリアのカバー範囲が信号品質、アップリンクとダウンリンクの物理リソース数量の優先順位より高く、信号品質、アップリンクとダウンリンクの物理リソース数量の優先順位が干渉の大きさと負荷状況の優先順位より高く、又は逆の優先順位を設置し、又は、異なる要素又は異なる数量の要素を含む異なる優先順位グループを設置する。つまり、優先順位グループと優先順位グループの優先順位の設定に基づいて、単独的に、何れか１グループの要素の基づいて候補コンポーネントキャリアを確定してもよい。
【００６３】
上記各優先順位グループの内部において、例えば、信号品質、及びアップリンク、ダウンリンク物理リソース数量が構成するグループで、各種の要素に対して重みを設置してもよい（同じ又は場合によって異なってもよい）。
【００６４】
各種の要素に対して異なる重みを設置する場合に、各種の要素がコンポーネントキャリアの選択に対する影響を総合的に考える。実際応用に応じて、任意に重み分布を設定することができる。一般的に、端末の位置、端末移動方向、端末移動レート、及び利用可能なキャリアのカバー範囲が、信号品質、アップリンクとダウンリンクの物理リソース数量の重みより高く、信号品質、アップリンクとダウンリンクの物理リソース数量の重みが干渉の大きさと負荷状況の重みより高くなるように設定することができる。
【００６５】
第２実施形態
第１実施形態において、異なる応用シーンに対してコンポーネントキャリアの選択を記述した。実際応用において、前文のように、各種の応用シーンが混在する可能性がある。例えば、各利用可能キャリアのカバー範囲は、完全に重なる（第１の応用シーン）可能性もあり、包含関係（第２の応用シーン）、又は一部のオーバーラップ（第３の応用シーン）の可能性もある。
【００６６】
従って、図８に示すように、本願が提出した一実施形態に基づいて、使用しようとするコンポーネントキャリアを得るまで、相次いで異なる応用シーンに適用する選択策略を利用して候補コンポーネントキャリアを選択して候補コンポーネントキャリア範囲を段階的に縮小する。つまり、第１実施形態のうえで、各利用可能キャリアのカバー範囲の分布が少なくとも二つの予定モードを含む場合に、唯一の候補コンポーネントキャリアを得るまで、まず、一方のモードに対応する基準に基づいて候補コンポーネントキャリアを確定し、その後に他方のモードに対応する基準に基づいて、上記候補コンポーネントキャリアにおいて第２候補コンポーネントキャリアを確定する。
【００６７】
具体的に、図８に示すように、まず、端末が使用できる各利用可能キャリアのカバー範囲を確定する（ステップ１０２）。次に、各利用可能キャリアのカバー範囲の分布が予定分布モードに符合するかどうかを確定する（ステップ１０４）。この二つのステップは、第１実施形態で詳細に記述したので、ここで重複しない。
【００６８】
カバー範囲が複数の分布モード、例えば、第１モード８０６、第２モード９１０があると確定した場合には、まず第１モードに対応する第１基準に基づいて候補コンポーネントキャリアを確定することができる（ステップ８０８）。例えば、第１モードが前述第３の応用シーンであれば、第３の応用シーンのコンポーネントキャリア選択策略を用いて候補コンポーネントキャリアを確定する。確定したコンポーネントキャリアが唯一である場合に、フローを終了し、確定した候補コンポーネントキャリアを使用する。確定した候補コンポーネントキャリアが唯一ではない可能性がある。例えば、第３の応用シーンにおいて、端末運動方向に複数の利用可能キャリアがあり且つ各利用可能キャリアの他の方面の要素又は選択策略に基づいて考えた要素もほぼ同じであれば、複数の利用可能キャリアとも候補コンポーネントキャリアとする可能性がある。この場合、第２モードに対応する第２基準（例えば、第１又は第２の応用シーンに対応する選択策略）を応用して上記複数の候補コンポーネントキャリアにおいて継続選択して（ステップ８１２）、使用しようとするコンポーネントキャリアを得る。
【００６９】
カバー範囲が複数の分布モード、例えば、第１モード８０６、第２モード８１０があると確定した場合には、まず第１モードに対応する第１基準に基づいて候補コンポーネントキャリアを確定することができる（ステップ８０８）。例えば、第１モードが前述第３の応用シーンであれば、第３の応用シーンのコンポーネントキャリア選択策略を用いて候補コンポーネントキャリアを確定する。確定したコンポーネントキャリアが唯一である場合に、フローを終了し、確定した候補コンポーネントキャリアを使用する。確定した候補コンポーネントキャリアが唯一ではない可能性がある。例えば、第３の応用シーンにおいて、端末運動方向に複数の利用可能キャリアがあり且つ各利用可能キャリアの他の方面の要素又は選択策略に基づいて考えた要素もほぼ同じであれば、複数の利用可能キャリアとも候補コンポーネントキャリアとする可能性がある。この場合、第２モードに対応する第２基準（例えば、第１又は第２の応用シーンに対応する選択策略）を応用して上記複数の候補コンポーネントキャリアにおいて継続選択して（ステップ８１２）、使用しようとするコンポーネントキャリアを得る。
【００７０】
第３実施形態
なお、端末がキャリアアグリゲーションモードで作業する際に、一つのプライマリコンポーネントキャリアの他に、さらに一つ又は複数のセカンダリコンポーネントキャリア（ＳＣＣ：Ｓｅｃｏｎｄａｒｙ  Ｃｏｍｐｏｎｅｎｔ  Ｃａｒｒｉｅｒ）が同時に作業し、これらキャリアともアクティブ状態にある。また、一つ又は複数のキャリアが、既に配置されたが非アクティブ状態にある可能性があり、一つ又は複数のキャリアが配置されていない状態にある可能性がある。
【００７１】
プライマリコンポーネントキャリアを変える必要がある場合に、新しいプライマリコンポーネントキャリアは、既に使用しているセカンダリコンポーネントキャリアから選択してもよく、まだ配置されていない利用可能キャリア又は既に配置されたがアクティベーションされていない利用可能キャリアから選択してもよい。セカンダリコンポーネントキャリアを追加する必要がある場合に、新しいセカンダリコンポーネントキャリアは、まだ配置していない利用可能キャリアから選択してもよく、既に配置されたがアクティベーションされていない利用可能キャリアから選択してもよい。
【００７２】
異なる状態のキャリアを添加する際の操作の複雑程度がそれぞれ異なる。従って、第１実施形態と第２実施形態のうえで、コンポーネントキャリアを選択する際に、まず、各利用可能キャリアのアクティベーションと配置状態を取得することによって、候補コンポーネントキャリアを確定する際にさらに各利用可能なキャリアのアクティベーションと配置状態を考える。なお、アクティブ状態にある利用可能キャリアの優先順位が既に配置されたがアクティベーションされていない利用可能キャリアより高く、既に配置されたがアクティベーションされていない利用可能キャリアの優先順位が配置されていない利用可能キャリアより高い。
【００７３】
ここで、「より高い優先順位」の意味は、より大きい重みを有するか又は、ある場合に、例えば他の条件が同じ又は類似する場合に、決定性の作用を奏するものである。
第４実施形態
【００７４】
第１から第３実施形態において記述した、コンポーネントキャリアを選択する方法は、プライマリコンポーネントキャリアを選択する際に用いることができる。
【００７５】
端末が初期アクセスするセルに対応するキャリア、又は端末が接続を再確立する際に用いるキャリアは、自ずとプライマリコンポーネントキャリアと黙認される。しかし、端末、基地局及びネットワーク環境の変化に伴って、プライマリコンポーネントキャリアを更新する必要があるかもしれない。この際、第１から第３実施形態で記述した、コンポーネントキャリアを選択する方法を用いて新しいプライマリコンポーネントキャリアを確定し、その後に古いプライマリコンポーネントキャリアから新しいプライマリコンポーネントキャリアに移る。
【００７６】
古いプライマリコンポーネントキャリアから新しいプライマリコンポーネントキャリアに移る変換は、各種の方式により行うことができ、従来の技術において、既にいろいろな方式が存在している。本願において、出願人も、新しいプライマリコンポーネントキャリア更新フローを提出し、詳細は、以下の各実施形態の記述通りである。
【００７７】
プライマリコンポーネントキャリアの更新は、複数回行うことができる。端末がセルに初期アクセスする又は接続を再確立した後の初回のプライマリコンポーネントキャリア更新において、上記古いプライマリコンポーネントキャリアは、初期プライマリコンポーネントキャリア、即ち、端末が初期アクセスし又は無線リソース接続を再確立する際に用いる、プライマリコンポーネントキャリアと黙認されたキャリアである。
【００７８】
キャリアアグリゲーションは、異なる周波数帯域に係る可能性がある。つまり、端末が使用できる各キャリアは、同一周波数帯域にある可能性もあり、異なる周波数帯域にある可能性もある。更新前後のプライマリコンポーネントキャリアが同一周波数帯域にあるかどうかは、プライマリコンポーネントキャリアを更新する際のオーバーヘッドに影響する。従って、プライマリコンポーネントキャリアの更新は、さらに利用可能キャリアの間の周波数関係を考えてもよい。
【００７９】
具体的に、プライマリコンポーネントキャリアを更新する際に、まず、利用可能キャリアのスペクトル情報を取得し、その後に候補コンポーネントキャリアを確定する際に、さらに各利用可能キャリアの周波数と古いプライマリコンポーネントキャリアとの関係を考える。なお、アクティベーションと配置状態とが同じ利用可能キャリアのうち、古いプライマリコンポーネントキャリアと同一の周波数帯域内にある利用可能キャリアは、より高い優先順位を有する。同様に、「より高い優先順位」の意味は、より大きい重みを有するか、又は、ある場合に、例えば他の条件が同じ又は類似する時に、決定性の作用を奏するものである。
【００８０】
第５実施形態
第１から第３実施形態において記述した、コンポーネントキャリアを選択する方法は、セカンダリコンポーネントキャリアを選択することに用いることができる。
【００８１】
端末が初期アクセスするセルに対応するキャリア、又は端末が接続を再確立する際に用いるキャリアは、自ずとプライマリコンポーネントキャリアと黙認される。しかしながら、ユーザーサービス品質ニーズの向上に伴って、新しいキャリアを増加してキャリアアグリゲーションを形成する必要があるかもしれない。
【００８２】
この場合に、まず、第１から第３実施形態で記述した、コンポーネントキャリアを選択する方法を用いて新しいセカンダリコンポーネントキャリアを確定し、その後に当該新しいセカンダリコンポーネントキャリアを添加する。セカンダリコンポーネントキャリアの添加は、各種の方式により行うことができ、従来の技術において、既にいろいろな方式が存在している。本願において、出願人も、新しいセカンダリコンポーネントキャリア添加フローを提出し、詳細は、以下の各実施形態の記述通りである。
【００８３】
第６実施形態
第１から第５実施形態において記述した、コンポーネントキャリアを選択する方法は、通信システムで基地局が端末の協力で行われてもよく、端末が基地局の協力で行われてもよい。
【００８４】
従って、本実施形態において、まず、前述した各実施形態を実現できる端末を提出する。
【００８５】
本実施形態及び後の各実施形態で、端末と基地局に対する記述で、必要がなければ、前述各実施形態の詳細な記述を重複せず、前述各実施形態の記述を参照してもよい。
【００８６】
図９に示すように、キャリアアグリゲーション通信ネットワークに適する端末９２０は、基地局９６０と通信し、基地局９６０の協力でコンポーネントキャリアを確定し、基地局９６０に通知する。具体的に、当該端末は、端末位置情報及び/又は端末位置に対応するキャリア分布情報を取得する端末情報取得ユニット９０２と、端末の位置に対応する各利用可能キャリアのカバー範囲の分布が予定分布モードに符合するかどうかを確定するキャリア分布モード確定ユニット９０４と、端末の位置に対応する各利用可能キャリアのカバー範囲が上記予定分布モードに符合する場合に、少なくとも、上記分布モードが決定した基準に基づいて使用するコンポーネントキャリアを確定するコンポーネントキャリア確定ユニット９０６と、確定した使用するコンポーネントキャリアを基地局に通知する（過程（４））通知ユニット９０８とを含む。
【００８７】
なお、端末情報取得ユニット９０２は、端末が使用できるキャリアのカバー範囲の情報を得て、キャリア分布モード確定ユニットが、利用可能キャリアカバー範囲分布モードを確定するようにすることを目的とする。利用可能キャリアカバー範囲情報は、端末の位置と基地局キャリアのパラメータに基づいて確定する必要がある。端末位置は、複数の基地局９６０により連携的に位置決められてもよく、端末が衛星位置決めシステム９４０、例えばＧＰＳ（グローバル・ポジショニング・システム）を介して確定してもよい。
【００８８】
従って、衛星位置決めの場合に、端末情報取得ユニット９０２は、端末に内蔵された、衛星位置決めシステムと通信する（過程（１））位置決めデバイスを含んでもよく、それが端末位置を基地局９６０に伝送し（過程（２））、基地局９６０が当該端末位置情報に基づいて利用可能キャリアカバー範囲の情報を端末情報取得ユニット９０２に伝送する（過程（３））。他の一つの実施変形において、端末９０２は、基地局９６０によらず利用可能キャリアカバー範囲情報を取得してもよい。例えば、端末９０２は、各キャリアの信号強度を検出することにより、自分があるキャリアのカバー範囲内にあるかどうかを確定してもよい。この場合に、利用可能キャリアカバー範囲の確定については、過程（２）と過程（３）を必要としない。
【００８９】
従って、衛星位置決めの場合に、端末情報取得ユニット９０２は、端末に内蔵された、衛星位置決めシステムと通信する（過程（１））位置決めデバイスを含んでもよく、それが端末位置を基地局９６０に伝送し（過程（２））、基地局９６０が当該端末位置情報に基づいて利用可能キャリアカバー範囲の情報を端末情報取得ユニット９０２に伝送する（過程（３））。他の一つの実施変形において、端末９２０は、基地局９６０によらず利用可能キャリアカバー範囲情報を取得してもよい。例えば、端末９２０は、各キャリアの信号強度を検出することにより、自分があるキャリアのカバー範囲内にあるかどうかを確定してもよい。この場合に、利用可能キャリアカバー範囲の確定については、過程（２）と過程（３）を必要としない。
【００９０】
キャリア分布モード確定ユニット９０４は、上記予定分布モードが、各利用可能キャリアのカバー範囲が基本的に同じであると判断した場合に、上記コンポーネントキャリア確定ユニット９０６は、各利用可能キャリアを候補コンポーネントキャリアとする。
【００９１】
キャリア分布モード確定ユニット９０４は、上記予定分布モードが、少なくとも一つの利用可能キャリアのカバー範囲が基本的に少なくとも他の一つの利用可能キャリアのカバー範囲内に含まれることであると判断した場合に、上記コンポーネントキャリア確定ユニット９０６は、少なくともカバー範囲の大きさに基づいて候補コンポーネントキャリアを確定する。
【００９２】
キャリア分布モード確定ユニット９０４は、上記予定分布モードが、少なくとも二つの利用可能キャリアのカバー範囲が基本的に異なり、かつ、一方のカバー範囲が他方のカバー範囲に包含されず、相互に一部の範囲がオーバーラップすることであると判断した場合に、上記端末情報取得ユニット９０２は、上記端末に関する移動方向と移動レートの情報を取得し、且つ上記コンポーネントキャリア確定ユニット９０６は、さらに、少なくとも上記端末の位置、その移動方向、及び移動レートに基づいて候補コンポーネントキャリアを確定するように配置される。
【００９３】
端末の移動方向と移動レートは、端末の異なる時刻での位置に基づいて確定される。前述のように、端末位置は、内蔵した衛星位置決めデバイスにより確定されてもよく、基地局９６０により確定されてもよい。いずれの場合でも、端末情報取得ユニットにより、衛星位置決めデバイス又は基地局９６０から取得した位置情報に基づいて端末の移動方向と移動レートを算出することができる。基地局９６０から位置情報を取得する場合に、基地局９６０は、過程（３）（もちろん、別の過程であってもよい）により端末情報取得ユニットへ端末の位置情報を提供しすることができる。
【００９４】
また、基地局９６０が端末位置を算出する場合に、端末の移動方向と移動レートの算出は、もちろん、基地局で完成してもよい。この場合、基地局９６０は、過程（３）（もちろん、別の過程であってもよい）で端末情報取得ユニットへ端末の位置情報、その移動方向、及び移動レートを直接に提供すれば良い。
【００９５】
このように、上記コンポーネントキャリア確定ユニット９０６は、さらに、以下のように配置されてもよい。即ち、端末情報取得ユニット９０２が取得した情報が、端末がある利用可能キャリアのエッジにあり、且つ当該利用可能キャリアから快速に遠ざかっていることを表明すると、遠ざかる方向に対応する利用可能キャリアに高い候補コンポーネントキャリアとなる確率を付与し、端末情報取得ユニット９０２が取得した情報が、端末がある利用可能キャリアのエッジにあり、且つ当該利用可能キャリアへ移動しているか、又は端末が、オーバーラップ領域においてオーバーラップ領域エッジから遠ざかる位置にあることを表明すると、少なくともカバー範囲の大きさに基づいて候補コンポーネントキャリアを確定する。
【００９６】
上記コンポーネントキャリア確定ユニット９０６は、さらに、上記遠ざかる方向に対応する利用可能キャリアが複数であると、少なくともカバー範囲の大きさに基づいてこれら複数の利用可能キャリアのうちから候補コンポーネントキャリアを確定するように配置されてもよい。
【００９７】
上記コンポーネントキャリア確定ユニット９０６は、さらに、信号品質、アップリンクとダウンリンクの物理リソース数量、干渉の大きさ、及び負荷状況の中の少なくとも一つに基づいて、候補コンポーネントキャリアを確定するように配置されてもよい。
【００９８】
ここで、信号品質は、端末自身が伝統的な技術によって得られる情報であり、他の基地局、キャリア又は端末等の現在の端末に対する干渉も、伝統的な技術によって信号品質に基づいて得られる情報である。アップリンクとダウンリンクの物理リソース数量と負荷状況については、伝統的な技術によって基地局から得られる情報（図１０における過程（５））である。現在の端末の他の端末に対する干渉を考える場合に、関連情報も、基地局から得る必要がある（基地局が他の端末の報告から情報を取得する）。
【００９９】
上記コンポーネントキャリア確定ユニット９０６は、さらに、以下のように配置されてもよい。即ち、候補コンポーネントキャリアを確定する場合に、カバー範囲、端末の位置、その移動方向、及び移動レートの重要性が信号品質、アップリンクとダウンリンクの物理リソース数量の重要性より高く、信号品質、アップリンクとダウンリンクの物理リソース数量の重要性が干渉の大きさと負荷状況の重要性より高い。又は、カバー範囲、端末の位置、その移動方向、移動レート、信号品質、アップリンクとダウンリンクの物理リソース数量、干渉の大きさと負荷状況の中の何れか一つ又は複数により単独、或いは共同的に候補コンポーネントキャリアを確定する。
【０１００】
上記コンポーネントキャリア確定ユニット９０６は、さらに、各利用可能キャリアのカバー範囲の分布が少なくとも二つの予定モードを含む場合に、唯一の候補コンポーネントキャリアを得るまで、まず、一方のモードに対応する基準に従って候補コンポーネントキャリアを確定し、その後に他方のモードに対応する基準に従って、上記候補コンポーネントキャリアのうち第２候補コンポーネントキャリアを確定するように配置されてもよい。
【０１０１】
上記端末は、各利用可能キャリアのアクティベーションと配置状態を取得するキャリア状態取得ユニット９１０を含んでもよい（図１１）。なお、上記コンポーネントキャリア確定ユニット９０６は、さらに、候補コンポーネントキャリアを確定する際に各利用可能キャリアのアクティベーションと配置状態を考慮するように配置されてもよい。なお、アクティブ状態にある利用可能キャリアの優先順位が既に配置されたがアクティベーションされていない利用可能キャリアより高く、既に配置されたがアクティベーションされていない利用可能キャリアの優先順位が配置されていない利用可能キャリアより高い。
【０１０２】
ここで、図１１に示す実施形態には図１０の過程（５）がないが、以上の記述から分かるように、他の変形に、図１０の過程（５）があってもよい。
【０１０３】
本実施形態の端末が確定した上記コンポーネントキャリアは、プライマリコンポーネントキャリアであってもよく、セカンダリコンポーネントキャリアであってもよい。
【０１０４】
プライマリコンポーネントキャリアの確定に用いられる場合に、上記コンポーネントキャリア確定ユニット９０６は、さらに、候補コンポーネントキャリアを確定する際に、さらに各利用可能キャリアの周波数と古いプライマリコンポーネントキャリアとの関係を考慮するように配置されてもよい、なお、アクティベーションと配置状態とが同じ利用可能キャリアのうち、古いプライマリコンポーネントキャリアと同一の周波数帯域内にある利用可能キャリアがより高い優先順位を有する。
【０１０５】
本実施形態の上記説明では、基地局と相互作用する端末が開示されている。同時に、上記端末と、それと通信する基地局とからなる通信システムが開示されている。
第７実施形態
【０１０６】
第６実施形態は、第１から第５実施形態が記述したコンポーネントキャリアを選択する方法を実現する端末を記述した。第７実施形態は、第１から第５実施形態が記述したコンポーネントキャリアを選択する方法を実現する基地局を記述する。
【０１０７】
本実施形態及び後の各実施形態で、端末と基地局とに対する記述において、必要がなければ、前述各実施形態の詳細な記述を重複せず、前述各実施形態の記述を参照してもよい。
【０１０８】
図１２に示すように、キャリアアグリゲーション通信ネットワークにおける基地局1２２０は、端末１２６０と通信し、端末１２６０の協力でコンポーネントキャリアを確定し、端末１２６０に通知する。具体的に、当該基地局は、端末位置情報及び/又は端末位置に対応するキャリア分布情報を取得する端末情報取得ユニット１２０２と、端末の位置に対応する各利用可能キャリアのカバー範囲の分布が予定分布モードに符合するかどうかを確定するキャリア分布モード確定ユニット１２０４と、端末の位置に対応する各利用可能キャリアのカバー範囲が上記予定分布モードに符合する場合に、少なくとも、上記分布モードが決定した基準に基づいて使用するコンポーネントキャリアを確定するコンポーネントキャリア確定ユニット１２０６と、確定した使用するコンポーネントキャリアを端末に通知する（過程（４））通知ユニット１２０８とを含む。
【０１０９】
なお、端末情報取得ユニット１２０２は、端末が使用できるキャリアのカバー範囲の情報を得て、キャリア分布モード確定ユニットが、利用可能キャリアカバー範囲分布モードを確定するようにすることを目的とする。利用可能キャリアカバー範囲情報は、端末の位置と基地局キャリアのパラメータに基づいて確定する必要がある。端末位置は、基地局1２２０自身より測定されてもよく、端末１２６０により衛星位置決めシステム９４０、例えばＧＰＳ（グローバル・ポジショニング・システム）を介して確定されてもよい（過程（１））。
【０１１０】
従って、衛星位置決めの場合に、端末情報取得ユニット１２０２は、端末１２６０から端末に内蔵した位置決めデバイスの位置決め情報を取得する（過程（２）ことにより、さらに、基地局の利用可能キャリア情報に基づいて、端末が使用できるキャリアのカバー範囲の情報を得る。
【０１１１】
また、基地局位置決めの場合に、端末位置そのものが基地局により得られるので、基地局は、直接に、当該位置に基づいて利用可能キャリアカバー範囲情報を得ることができる。
【０１１２】
キャリア分布モード確定ユニット１２０４は、上記予定分布モードが各利用可能キャリアのカバー範囲が基本的に同じであることと判断した場合に、上記コンポーネントキャリア確定ユニット１２０６は、各利用可能キャリアをいずれも候補コンポーネントキャリアとする。
【０１１３】
キャリア分布モード確定ユニット１２０４は、上記予定分布モードが少なくとも一つの各利用可能キャリアのカバー範囲が基本的に少なくとも他の一つの利用可能キャリアのカバー範囲内に含まれることであると判断した場合に、上記コンポーネントキャリア確定ユニット１２０６は、少なくともカバー範囲の大きさに基づいて候補コンポーネントキャリアを確定する。
【０１１４】
キャリア分布モード確定ユニット１２０４は、上記予定分布モードが少なくとも二つの各利用可能キャリアのカバー範囲が基本的に異なり、かつ、一方のカバー範囲が他方のカバー範囲に包含されず、相互に一部の範囲がオーバーラップすることであると判断した場合に、上記端末情報取得ユニット１２０２は、上記端末に関する移動方向と移動レートの情報を取得し、且つ上記コンポーネントキャリア確定ユニット１２０６は、さらに、少なくとも上記端末の位置、その移動方向、及び移動レートに基づいて候補コンポーネントキャリアを確定するように配置される。
【０１１５】
端末の移動方向と移動レートは、端末の異なる時刻での位置に基づいて確定される。前述のように、端末位置は、端末に内蔵した衛星位置決めデバイスにより確定されてもよく、基地局1２２０により確定されてもよい。いずれの場合でも、端末情報取得ユニットにより、端末１２６０から取得した位置情報、又は基地局が算出した端末位置に基づいて端末の移動方向と移動レートを算出することができる。
【０１１６】
また、端末１２６０が衛星位置決めデバイスにより端末位置を得る場合に、端末の移動方向と移動レートの算出は、もちろん、端末自身により完成されてもよい。この場合、端末１２６０は、過程（２）（もちろん、別の過程であってもよい）で端末情報取得ユニットへ、直接に端末の位置情報、その移動方向、及び移動レートを提供すれば良い。
【０１１７】
このように、上記コンポーネントキャリア確定ユニット１２０６は、さらに、以下のように配置されてもよい。即ち、端末情報取得ユニット１２０２が取得した情報が、端末がある利用可能キャリアのエッジにあり、且つ当該利用可能キャリアから快速に遠ざかっていることを表明すると、遠ざかる方向に対応する利用可能キャリアに高い候補コンポーネントキャリアとなる確率を付与し、端末情報取得ユニット１２０２が取得した情報が、端末がある利用可能キャリアのエッジにあり、且つ当該利用可能キャリアへ移動しているか、又は端末が、オーバーラップ領域においてオーバーラップ領域エッジから遠ざかる位置にあることを表明すると、少なくともカバー範囲の大きさに基づいて候補コンポーネントキャリアを確定する。
【０１１８】
上記コンポーネントキャリア確定ユニット１２０６は、さらに、上記遠ざかる方向に対応する利用可能キャリアが複数であると、少なくともカバー範囲の大きさに基づいてこれら複数の利用可能キャリアにおいて候補コンポーネントキャリアを確定するように配置されてもよい。
【０１１９】
上記コンポーネントキャリア確定ユニット１２０６は、さらに、信号品質、アップリンクとダウンリンクの物理リソース数量、干渉の大きさ、及び負荷状況の中の少なくとも一つに基づいて、候補コンポーネントキャリアを確定するように配置されてもよい。
【０１２０】
ここで、信号品質は、端末自身が伝統的な技術によって得られる情報であり、他の基地局、キャリア又は端末等の現在の端末に対する干渉も、伝統的な技術によって信号品質に基づいて得られる情報である。アップリンクとダウンリンクの物理リソース数量と負荷状況については、伝統的な技術に基づいて基地局自身により把握できる情報である。現在の端末が他の端末に対する干渉を考える場合に、関連情報も、基地局により他の端末が報告した情報に基づいて得られる。従って、コンポーネントキャリア確定ユニット１２０６は、必要な時に、端末１２６０から関連情報を取得する（図１３における過程（５））。
【０１２１】
上記コンポーネントキャリア確定ユニット１２０６は、さらに、以下のように配置されてもよい。即ち、候補コンポーネントキャリアを確定する場合に、カバー範囲、端末の位置、その移動方向、及び移動レートの重要性が信号品質、アップリンクとダウンリンクの物理リソース数量の重要性より高く、信号品質、アップリンクとダウンリンクの物理リソース数量の重要性が干渉の大きさと負荷状況の重要性より高い。又は、カバー範囲、端末の位置、その移動方向、移動レート、信号品質、アップリンクとダウンリンクの物理リソース数量、干渉の大きさと負荷状況の中の何れか一つ又は複数により単独、或いは共同的に候補コンポーネントキャリアを確定する。
【０１２２】
上記コンポーネントキャリア確定ユニット１２０６は、さらに、各利用可能キャリアのカバー範囲の分布が少なくとも二つの予定モードを含む場合に、唯一の候補コンポーネントキャリアを得るまで、まず、一方のモードに対応する基準に従って候補コンポーネントキャリアを確定し、その後に他方のモードに対応する基準に従って、上記候補コンポーネントキャリアのうち第２候補コンポーネントキャリアを確定するように配置されてもよい。
【０１２３】
上記基地局は、各利用可能キャリアのアクティベーションと配置状態を取得するキャリア状態取得ユニット１２１０を含んでもよい。なお、上記コンポーネントキャリア確定ユニット１２０６は、さらに、以下のように配置されてもよい。即ち、候補コンポーネントキャリアを確定する際に、更に各利用可能キャリアのアクティベーションと配置状態を考慮する。なお、アクティブ状態にある利用可能キャリアの優先順位が既に配置されたがアクティベーションされていない利用可能キャリアより高く、既に配置されたがアクティベーションされていない利用可能キャリアの優先順位が配置されていない利用可能キャリアより高い。ここで、利用可能キャリアのアクティベーションと配置状態が端末自身の状態であるので、本実施形態の基地局は、過程（６）（図１４）により当該端末の利用可能キャリアのアクティベーションと配置状態を得る必要がある。
【０１２４】
ここで、図１４に示す実施形態において図１３の過程（５）がないが、以上の記述から分かるように、他の変形において、図１３の過程（５）があってもよい。
【０１２５】
本実施形態の基地局が確定した上記コンポーネントキャリアは、プライマリコンポーネントキャリアであってもよく、セカンダリコンポーネントキャリアであってもよい。
【０１２６】
プライマリコンポーネントキャリアの確定に用いられる場合に、上記コンポーネントキャリア確定ユニット１２０６は、さらに、候補コンポーネントキャリアを確定する際に、更に各利用可能キャリアの周波数と古いプライマリコンポーネントキャリアとの関係を考慮するように配置されてもよい、なお、アクティベーションと配置状態とが同じ利用可能キャリアのうち、古いプライマリコンポーネントキャリアと同一の周波数帯域内にある利用可能なキャリアがより高い優先順位を有する。
【０１２７】
本実施形態の上記説明で、端末と相互作用する基地局が開示されている。同時に、上記基地局と、それと通信する端末とからなる通信システムが開示されている。
【０１２８】
コンポーネントキャリアの更新
第８実施形態
上記各実施形態では、如何に、プライマリコンポーネントキャリアとセカンダリコンポーネントキャリアを含むコンポーネントキャリアを選択するかを記述した。
【０１２９】
コンポーネントキャリアを選択した後に、適当なフローを用いて古いプライマリコンポーネントキャリアから選択した新しいプライマリコンポーネントキャリアに変換したり、選択した新しいセカンダリコンポーネントキャリアを添加したり、選択した新しいセカンダリコンポーネントキャリアを用いて、ある古いセカンダリコンポーネントキャリアを取り替えたりする（実際に、添加動作と削除動作の連携）。また、コンポーネントキャリアを更新又は添加するタイミングを適当に確定する必要がある。
【０１３０】
従って、図１５に示すように、本実施形態において、キャリアアグリゲーション通信ネットワークにおいてプライマリコンポーネントキャリアを更新する方法を提出し、端末、基地局及び／又はプライマリコンポーネントキャリアの状態情報を取得し（ステップ１５０２）、上記状態情報が予定条件に符合するかどうかを確定し（ステップ１５０４）、予定条件に符合する場合に、新しいプライマリコンポーネントキャリアを用いて古いプライマリコンポーネントキャリアを取り替える（ステップ１５０６）ことを含む。
【０１３１】
従来技術において、各種パラメータで端末、基地局、その使用中のコンポーネントキャリア、使用可能なキャリアの性能、状態等を表現することができ、各種の測定又は通信手段により関連情報を取得することができる。これら情報に対して、実際応用に応じて各種の予定条件を設置し、予定条件を満足する際にプライマリコンポーネントキャリアを更新することができる。
【０１３２】
説明の例示で、制限ではない列挙として考えられるプライマリコンポーネントキャリアの更新を行う条件は、下述条件の少なくとも一つを含むことができる。
【０１３３】
１．端末が古いプライマリコンポーネントキャリアのカバー範囲外に移動した。
【０１３４】
２．古いプライマリコンポーネントキャリアの信号品質が低下する。
【０１３５】
３．古いプライマリコンポーネントキャリアのアップリンク、ダウンリンクの物理リソース数量が足りない。
【０１３６】
４．元基地局がネットワーク全体負荷のバランス及びユーザーの間の干渉問題に対する考慮によりプライマリコンポーネントキャリアを更新することを要求する。
【０１３７】
５．端末が新しい基地局のカバー範囲内に移動した。
【０１３８】
プライマリコンポーネントキャリアの更新は、切り替えフローを用いてもよく、再配置フローを用いてもよい。図１６に示すように、切り替えフローにおいて、古いプライマリコンポーネントキャリアの属する基地局は、端末へ「無線リソース制御」（ＲＲＣ、Ｒａｄｉｏ  Ｒｅｓｏｕｒｃｅ  Ｃｏｎｔｒｏｌ)再配置情報を送信し、上記「無線リソース制御」再配置情報が移動制御情報（ＭｏｂｉｌｉｔｙＣｏｎｔｒｏｌＩｎｆｏ）を含み、上記移動制御情報が新しいプライマリコンポーネントキャリアの無線リソース配置情報（ＲａｄｉｏＲｅｓｏｕｒｃｅＣｏｎｆｉｇ）を含む。そして、端末は、上記「無線リソース制御」再配置情報における移動制御情報を利用してＭＡＣ(媒体アクセス制御)、ＰＤＣＰ（パケット・データ・コンバージェンス・プロトコル）、ＲＬＣ（無線リンク制御）レイヤを再配置し、セキュリティキーを更新し、上記新しいプライマリコンポーネントキャリアの無線リソース配置情報を利用して新しいプライマリコンポーネントキャリアを配置する。
【０１３９】
その後に、ランダムアクセス過程を行って、新しいプライマリコンポーネントキャリアにアクセスする。ランダムアクセス過程は、端末により行ってもよく、基地局により行ってもよい。端末により行う場合に、端末がアクセス要求を提出し、新しいプライマリコンポーネントキャリアの属する基地局がリソースと他の端末のアクセス要求状況に基づいて割当てる過程であり、競合的である。即ち、ランダムアクセスは、各端末がリソースを先取する過程である。一回ランダムアクセスに失敗した場合に、場合によっては、再試行したり、無線リソース配置情報を再配置したり、新たに切り替えたりする必要がある。ランダムアクセス過程が新しいプライマリコンポーネントキャリアの属する基地局により行う場合に、基地局がすでに端末に、対応するリソースを保留しているので、端末側の状況に変化がない限り、端末が応答を与えばよい。このようなランダムアクセスは、非競合的なランダムアクセスと称される。
【０１４０】
新しいプライマリコンポーネントキャリアにランダムアクセスした後に、古いプライマリコンポーネントキャリアに対してアクティベーション解除してもよい。アクティベーション解除は、二つの方式を用いることができる。一つは、新しいプライマリコンポーネントキャリアの属する基地局が直接に端末へアクティベーション解除命令を送信し（図１６に示すように）、端末がアクティベーション解除命令を受信した後に古いプライマリコンポーネントキャリアをアクティベーション解除する。他の方式は、暗黙的アクティベーション解除を使用して古いプライマリコンポーネントキャリアをアクティベーション解除し（図１６に未図示）、即ち、端末は、基地局からアクティベーション解除命令を受信する必要がなく、自分で古いコンポーネントキャリアをアクティベーション解除する。この自動動作は、例えば、タイマによって完成されてもよく、即ち、システムが予め古いコンポーネントキャリアのアクティベーション解除時間を定義するか、又はアクティベーション解除タイマのトリガ条件を定義する。
【０１４１】
ここで、「新しいプライマリコンポーネントキャリアの属する基地局」と「古いプライマリコンポーネントキャリア」が言及された。新しいプライマリコンポーネントキャリアと古いプライマリコンポーネントキャリアとが同一基地局に属する場合に、上記二つの用語は、同一基地局を指す。
【０１４２】
前述のように、プライマリコンポーネントキャリアの更新も、再配置フローを用いることができる。図１８に示すように、切り替えフローに比べて、再配置フローは、ランダムアクセス過程とセキュリティキーの更新過程がなくてもよい。また、ＲＲＣ再配置情報の内容も簡略化され、移動制御情報を含まず新しいプライマリコンポーネントキャリアの無線リソース配置情報のみを含む。従って、端末はＲＲＣ再配置情報を受信した後に、新しいプライマリコンポーネントキャリアのみを配置すればよく、ＭＡＣ、ＰＤＣＰ、ＲＬＣレイヤの再配置やセキュリティキーの更新が必要がないので、プライマリコンポーネントキャリアの更新による余分のシステムオーバーヘッドを低減し、プライマリコンポーネントキャリアの更新によるユーザーサービスの品質低下の問題を抑制することができる。この場合、ＲＲＣメッセージにおいて新しいプライマリコンポーネントキャリアの全ての関連配置情報を含む必要がなく（例えば、移動制御情報を含まない）、元プライマリコンポーネントキャリアに比べて更新された配置情報、即ち、無線リソース配置情報のみを含めばよく、インクリメントシグナリングと称することができる。
【０１４３】
第９実施形態
全てのプライマリコンポーネントキャリアの更新は、切り替えの方式を用いることができる。しかし、全てのプライマリコンポーネントキャリアの更新が、再配置の方式を用いることができるわけではない。これは、新しいプライマリコンポーネントキャリアと古いプライマリコンポーネントキャリアが同じセキュリティキーを有し且つＭＡＣ、ＰＤＣＰ、ＲＬＣレイヤを再配置する必要がない場合のみに、再配置フローを用いることができるためである。
【０１４４】
従って、本願は、続いて、更新したシーンに基づいて更新のフローを決定することを提出し、更新前後のプライマリコンポーネントキャリアが同一基地局に属すると、再配置フローを用いてプライマリコンポーネントキャリアを更新する。更新前後のプライマリコンポーネントキャリアが同一基地局に属しないと、切り替えフローを用いてプライマリコンポーネントキャリアを更新する。
【０１４５】
具体的に、図１７に示すように、プライマリコンポーネントキャリアを更新するフローは、新しいプライマリコンポーネントキャリアと古いプライマリコンポーネントキャリアとが同一基地局に属するかどうかを確定し（ステップ１７０２）、同一基地局に属すると、当該基地局により再配置フローを用いて新しいプライマリコンポーネントキャリアで古いプライマリコンポーネントキャリアを取り替え（ステップ１７０４）、さもなければ、古いプライマリコンポーネントキャリアの属する基地局により新しいプライマリコンポーネントキャリアの属する基地局へ切り替え要求を送信して、新しいプライマリコンポーネントキャリアの属する基地局から関連情報を取得し（ステップ１７０４）、そして、切り替えフローを用いて新しいプライマリコンポーネントキャリアで古いプライマリコンポーネントキャリアを取り替える（ステップ１７０６）ことを含む。
【０１４６】
具体的に、ステップ１７０４において、古いプライマリコンポーネントキャリアの属する基地局（以下、古い基地局と略称される）が切り替え要求を新しいプライマリコンポーネントキャリアの属する基地局（以下、新しい基地局と略称される）へ送信して、新しい基地局が、端末が新しいプライマリコンポーネントキャリアに切り替える際に必要な配置情報を準備するようにし、これにより、古い基地局は新しい基地局から必要な配置情報を取得でき、古い基地局が、切り替えフローにおいて端末へ送信するＲＲＣ再配置情報を準備するようにする。
【０１４７】
当該実施形態における再配置フロー１７０４と切り替えフロー１７０６は、図１６と図１８に基づいて記述した再配置フローと切り替えフローと同じである。異なるところは、新しいプライマリコンポーネントキャリアと古いプライマリコンポーネントキャリアが同一基地局に属しないので、古い基地局によりＲＲＣ再配置情報を送信したが、配置を完成した後のランダムアクセス過程が新しい基地局との対話（詳細には、以下図３１に基づいて記述）である。端末が配置を完成した後の応答（又は確認）メッセージについて、直接に新しい基地局に送信する。
【０１４８】
第８実施形態と第９実施形態を比較すると、切り替えの過程において、ＭＡＣ、ＰＤＣＰ、ＲＬＣレイヤを再配置し、且つセキュリティキーを更新する必要があるので、システムのオーバーヘッドを増加、及び通信中断の現象が出現することを避けることができない。再配置フローを用いる場合に、システムのオーバーヘッドが大きく低下し、通信中断時間も減少する。従って、第９実施形態が提出した更新前後のプライマリコンポーネントキャリアが同一基地局に属するかどうかに基づいて切り替えフローを使用してプライマリコンポーネントキャリアを更新するか又は再配置フローを使用してプライマリコンポーネントキャリアを更新するかを決定する方式は、プライマリコンポーネントキャリア更新による余分のシステムオーバーヘッドを低減し、プライマリコンポーネントキャリア更新によるユーザーサービスの品質低下等の問題を抑制することができる。
【０１４９】
上記再配置フローにおいて、新しいプライマリコンポーネントキャリアと古いプライマリコンポーネントキャリアとは、一般的に、同一周波数帯域にあり、同じタイミングアドバンスを有し、且つ基地局と同期する必要がある。このような条件を満足しないと、図１９に示すように、古いプライマリコンポーネントキャリアをアクティベーション解除する前に、新しいコンポーネントキャリアに対するランダムアクセスを発する必要がある。
【０１５０】
第１０実施形態
第８と第９実施形態において、暗黙的な前提は、新しいプライマリコンポーネントキャリアが既に初期配置され、アクティベーションされたことである。しかし、実際応用において、新しいプライマリコンポーネントキャリアがまだ初期配置されず、或いは既に初期配置されたがまだアクティベーションされていないシーンも存在している。
【０１５１】
このシーンにおいて、新しいプライマリコンポーネントキャリアにしようとするまだ初期配置されていないキャリアに対して初期配置、アクティベーションし、新しいプライマリコンポーネントキャリアにしようとする既に配置されたがアクティベーションされていないキャリアにアクティベーションする必要がある。初期配置（即ち、当該キャリアの添加）は、切り替えフロー或いは再配置の開始で行うべきで（図示せず）、アクティベーション過程が時間順で比較的に柔軟である。図１６、１８、１９に対応する図２０―22に示すように、アクティベーション過程は、配置完了又はランダムアクセスの後に、又は古いプライマリコンポーネントキャリアをアクティベーション解除する（図に基地局がアクティベーション命令を発送することを示し、前文のようにアクティベーション解除過程が端末自身の暗黙的アクティベーション解除であってもよい）前に、基地局によりアクティベーション命令を発送してもよい。又は、図１６、１８、１９に対応する図２３―２５に示すように、アクティベーション過程は、ＲＲＣ再配置情報を発送する前に基地局によりアクティベーション命令を発送してもよい。
【０１５２】
なお、アクティベーション過程命令は、他の命令と合併又は同時に送信してもよい。例えば、新しいプライマリコンポーネントキャリアが初期配置されていない状態であると、初期配置とアクティベーションこの二つの過程を合併して、新しい「配置アクティベーション」過程を定義し、同時に配置とアクティベーションとを完成し、即ち、基地局が「配置アクティベーション」命令を発し、端末が当該命令を受信した後に一回で配置とアクティベーションとを完成する。また、アクティベーション命令は、上記「無線リソース制御」再配置情報と一緒に送信してもよい。
【０１５３】
他の一つの実施形態において、初期配置フローとその後の切り替えフロー或いは再配置フローは、合併して一つの命令に含まれて行なわれてもよく、分ける必要がない。つまり、初期配置命令は、ＲＲＣ再配置情報と合併してもよい。
【０１５４】
第１１実施形態
以下、セカンダリコンポーネントキャリアの更新を記述する。前述のように、セカンダリコンポーネントキャリアの更新は、選択した新しいセカンダリコンポーネントキャリアを添加し、又は選択した新しいセカンダリコンポーネントキャリアを用いてある古いセカンダリコンポーネントキャリアを取り替えることを含む。後者の場合は、実際に、添加動作と削除動作の連携である。第８実施形態の考慮に類似し、コンポーネントキャリアを更新し又は添加するタイミングを適当に確定するために、本実施形態は、セカンダリコンポーネントキャリアを更新する方法を提出している。
【０１５５】
図２６に示すように、本実施形態の方法は、端末、基地局及び／又はセカンダリコンポーネントキャリアの状態情報を取得し（ステップ２２０２）、上記状態情報が予定条件に符合するかどうかを確定し（ステップ２２０４）、上記予定条件に符合する場合に、新しいセカンダリコンポーネントキャリアを添加し又は新しいセカンダリコンポーネントキャリアを用いて古いセカンダリコンポーネントキャリアを取り替える（ステップ２２０６）ことを含む。
【０１５６】
従来技術において、各種パラメータで端末、基地局及びその使用中のコンポーネントキャリア、使用可能なキャリアの性能、状態等を表現することができ、且つ各種の測定又は通信手段により関連情報を取得することができる。これら情報に対して、実際応用に応じて各種の予定条件を設置し、予定条件を満足する際にセカンダリコンポーネントキャリアを更新することができる。
【０１５７】
説明の例示で、制限ではない列挙として、考慮されるセカンダリコンポーネントキャリアの更新を行う条件は、下述条件の少なくとも一つを含むことができる。
【０１５８】
１．業務のニーズのため、より多いセカンダリコンポーネントキャリアを要する。
【０１５９】
２．端末が古いセカンダリコンポーネントキャリアのカバー範囲外に移動する。
【０１６０】
３．古いセカンダリコンポーネントキャリアの信号品質が低下する。
【０１６１】
４．古いセカンダリコンポーネントキャリアのアップリンク、ダウンリンクの物理リソース数量が足りない。
【０１６２】
５．元基地局がネットワーク全体負荷バランス及びユーザーの間の干渉問題に対する考慮によりセカンダリコンポーネントキャリアを更新することを要求する。
【０１６３】
６．  端末が新しい基地局のカバー範囲内に移動する。
【０１６４】
セカンダリコンポーネントキャリアの更新は、再配置フローを用いる。当該再配置フローは、図１８に基づいて記述した、プライマリコンポーネントキャリアに用いる再配置フローに類似する。異なる所は、セカンダリコンポーネントキャリアが唯一性がないので、セカンダリコンポーネントキャリアの更新の本質が前述のように新しいセカンダリコンポーネントキャリアを添加することにあり、従って、セカンダリコンポーネントキャリア更新に用いられる再配置フローはアクティベーション解除過程を含む必要がない。
【０１６５】
具体的に、再配置フローにおいて、基地局は、端末へ「無線リソース制御」（ＲＲＣ、  Ｒａｄｉｏ  Ｒｅｓｏｕｒｃｅ  Ｃｏｎｔｒｏｌ)再配置情報を送信し、上記「無線リソース制御」再配置情報が新しいセカンダリコンポーネントキャリアの無線リソース配置情報（ＲａｄｉｏＲｅｓｏｕｒｃｅＣｏｎｆｉｇ）のみを含む。そして、端末は、上記新しいプライマリコンポーネントキャリアの無線リソース配置御情報を利用して新しいセカンダリコンポーネントキャリアを配置する。ＭＡＣ、ＰＤＣＰ、ＲＬＣレイヤを新たに配置し、セキュリティキーを更新する必要がないので、セカンダリコンポーネントキャリア更新による余分のシステムオーバーヘッドを低減し、ユーザーサービスの品質低下の問題を避けることができる。この際、ＲＲＣメッセージにおいて新しいセカンダリコンポーネントキャリアの全ての関連配置情報を含む必要がなく（例えば、移動制御情報を含まない）、セカンダリコンポーネントキャリアの無線リソース配置情報のみを含めばよく、インクリメントシグナリングと称さてもよい。
【０１６６】
具体的に、再配置フローにおいて、基地局は、端末へ「無線リソース制御」（ＲＲＣ、  Ｒａｄｉｏ  Ｒｅｓｏｕｒｃｅ  Ｃｏｎｔｒｏｌ)再配置情報を送信し、上記「無線リソース制御」再配置情報が新しいセカンダリコンポーネントキャリアの無線リソース配置情報（ＲａｄｉｏＲｅｓｏｕｒｃｅＣｏｎｆｉｇ）のみを含む。そして、端末は、上記新しいセカンダリコンポーネントキャリアの無線リソース配置御情報を利用して新しいセカンダリコンポーネントキャリアを配置する。ＭＡＣ、ＰＤＣＰ、ＲＬＣレイヤを新たに配置し、セキュリティキーを更新する必要がないので、セカンダリコンポーネントキャリア更新による余分のシステムオーバーヘッドを低減し、ユーザーサービスの品質低下の問題を避けることができる。この際、ＲＲＣメッセージにおいて新しいセカンダリコンポーネントキャリアの全ての関連配置情報を含む必要がなく（例えば、移動制御情報を含まない）、セカンダリコンポーネントキャリアの無線リソース配置情報のみを含めばよく、インクリメントシグナリングと称さてもよい。
【０１６７】
このシーンにおいて、新しいセカンダリコンポーネントキャリアにしようとするまだ初期配置されていないキャリア、又は既に初期配置されたが、まだアクティベーションされていないキャリアに対してアクティベーションを行う（図２７、２８）。セカンダリコンポーネントキャリアについては、本願の記述した再配置を完成し、即ちその初期配置（即ち、当該キャリアの添加）を完成する。アクティベーション過程については、時間順で比較的に柔軟である。図２８に示すように、アクティベーション過程は、ＲＲＣ再配置情報の配置完了後に、基地局によりアクティベーション命令を発してもよい。又は、図２７に示すように、アクティベーション過程は、ＲＲＣ再配置情報を発する前に基地局によりアクティベーション命令を発送してもよい。
【０１６８】
同様に、アクティベーション命令は、他の命令と合併し又は同時に送信されてもよい。例えば、アクティベーション命令は、上記「無線リソース制御」再配置情報と一緒に送信されてもよい。
【０１６９】
第１２実施形態
第８〜第１０実施形態が記述したコンポーネントキャリアを更新する方法は、通信システムにおいて基地局と端末により協力で行われる。
【０１７０】
従って、本実施形態において、それぞれ前述各実施形態を実現できる端末、基地局、通信システムを提出する。
【０１７１】
本実施形態及び後の各実施形態の端末、基地局、通信システムに対する記述において、必要がなければ、前述各実施形態の詳細な記述を重複せず、前述各実施形態の記述を参照することができる。
【０１７２】
図２９に示すように、キャリアアグリゲーション通信ネットワークにおける基地局２４２０と端末２５２０とは通信し、プライマリコンポーネントキャリアの更新を完成する。具体的に、当該端末は、端末、基地局及び／又はプライマリコンポーネントキャリアの状態情報を取得する状態取得ユニット２４０２と、上記状態情報が予定条件に符合するかどうかを確定する状態確定ユニット２４０４と、上記予定条件に符合する場合に、新しいプライマリコンポーネントキャリアを用いて古いプライマリコンポーネントキャリアを取り替えるプライマリコンポーネントキャリア更新ユニット２４０６とを含む。
【０１７３】
具体的に、状態取得ユニット２４０２は、状態確定ユニット２４０４がプライマリコンポーネントキャリア更新条件を満足するかどうかを確定するための情報を取得する。どの情報を取得する必要があるかは、上記更新条件に依存し、更新条件は、具体的な応用に基づいて任意に設定できる。
【０１７４】
例えば、上記予定条件は、以下の条件の少なくとも一つを含む。
【０１７５】
１．端末が古いプライマリコンポーネントキャリアのカバー範囲外に移動する。
【０１７６】
２．古いプライマリコンポーネントキャリアの信号品質が低下する。
【０１７７】
３．古いプライマリコンポーネントキャリアのアップリンク、ダウンリンクの物理リソース数量が足りない。
【０１７８】
４．元基地局がネットワーク全体負荷バランス及びユーザーの間の干渉問題に対する考慮によりプライマリコンポーネントキャリアを更新することを要求する。
【０１７９】
５．端末が新しい基地局のカバー範囲内に移動する。
【０１８０】
それでは、第１と第５項の条件に対して、端末位置と、対応する基地局のプライマリコンポーネントキャリアのカバー範囲に基づいて判断する必要がある。第２項の条件に対して、端末から信号品質情報を取得する必要がある。第３項の条件に対して、基地局から関連情報を得る必要がある。第４項の条件は、完全に基地局からの命令である。
【０１８１】
よって、上記予定条件によっては、状態取得ユニット２４０２が、基地局自身から関連情報を取得するだけで端末２５２０と対話する必要がない可能性があり、端末２５２０と対話して関連情報を取得する必要がある可能性もある。情報の具体的取得方式について、前文のコンポーネントキャリアの選択に関する記述においてすでに記述され、ここで重複しない。
【０１８２】
プライマリコンポーネントキャリア更新ユニット２４０６と端末２５０２とが対話してプライマリコンポーネントキャリアの更新を完成する。前文のように、全てのプライマリコンポーネントキャリア更新は、切り替えフローにより完成できる。従って、一つの実施形態において、図３０に示すように、上記プライマリコンポーネントキャリア更新ユニット２４０６は、再配置情報送信ユニット２４０６２とランダムアクセスユニット２６０６４とを含むことができ、再配置情報送信ユニット２４０６２は端末へ「無線リソース制御」再配置情報を送信し、上記「無線リソース制御」再配置情報は移動制御情報を含み、上記移動制御情報は端末によりＭＡＣ、ＰＤＣＰ、ＲＬＣレイヤを新たに配置し、セキュリティキーを更新するための情報、及び端末が新しいプライマリコンポーネントキャリアを配置するための無線リソース配置情報を含み、ランダムアクセスユニット２６０６４は非競合性ランダムアクセスを発するか又は端末のランダムアクセス要求に応答する。
【０１８３】
プライマリコンポーネントキャリア更新ユニット２４０６と端末２５２０とが対話してプライマリコンポーネントキャリアの更新を完成する。前文のように、全てのプライマリコンポーネントキャリア更新は、切り替えフローにより完成できる。従って、一つの実施形態において、図３０に示すように、上記プライマリコンポーネントキャリア更新ユニット２４０６は、再配置情報送信ユニット２４０６２とランダムアクセスユニット２６０６４とを含むことができ、再配置情報送信ユニット２４０６２は端末へ「無線リソース制御」再配置情報を送信し、上記「無線リソース制御」再配置情報は移動制御情報を含み、上記移動制御情報は端末によりＭＡＣ、ＰＤＣＰ、ＲＬＣレイヤを新たに配置し、セキュリティキーを更新するための情報、及び端末が新しいプライマリコンポーネントキャリアを配置するための無線リソース配置情報を含み、ランダムアクセスユニット２６０６４は非競合性ランダムアクセスを発するか又は端末のランダムアクセス要求に応答する。
【０１８４】
それに対応して、本実施形態は、対応する端末２５20をさらに提供し、図３０に示すように、基地局から「無線リソース制御」再配置情報を受信する再配置情報受信ユニット２５０２と、上記「無線リソース制御」再配置情報に基づいてＭＡＣ、ＰＤＣＰ、ＲＬＣレイヤを新たに配置し、セキュリティキーの情報を更新する移動制御配置ユニット２５０４と、上記「無線リソース制御」再配置情報に含まれている無線リソース配置情報に基づいて新しいプライマリコンポーネントキャリアを配置する無線リソース配置ユニット２５０６と、競合性ランダムアクセスを発するか又は基地局が発した非競合性ランダムアクセスに応答するランダムアクセスユニット２５１０と、予め設定し又は基地局の送信したアクティベーション解除命令に基づいて古いプライマリコンポーネントキャリアをアクティベーション解除するアクティベーション解除ユニット２５０８とを含む。
【０１８５】
上記基地局２４２０と端末２５２０は、上記切り替えフローを完成するのに適する。前文のような再配置フローを完成する場合に、自ずと、上記再配置情報送信ユニット２４０６２は、端末へ送信した「無線リソース制御」再配置情報が上記新しいプライマリコンポーネントキャリアの無線リソース配置情報のみを含み、端末２５２０により新しいプライマリコンポーネントキャリアを配置するのに用いられるように配置される。これにより、端末２５２０において移動制御配置ユニット２５０４の機能は必要がない。
【０１８６】
前述のように、一般的に、再配置フローにランダムアクセス過程がないので、再配置フローを完成するのに適する上記基地局２４２０と端末２５２０にも、ランダムアクセスユニットがなくてもよい。しかし、前述のように、基地局２４２０と端末２５２０は、それぞれ、対応するランダムアクセスユニットを含んで、新しいプライマリコンポーネントキャリアと古いプライマリコンポーネントキャリアとが以下の条件に符合しない場合に、古いプライマリコンポーネントキャリアをアクティベーション解除する前に新しいプライマリコンポーネントキャリアをランダムにアクセスようにする。これら条件は、新しいプライマリコンポーネントキャリア、古いプライマリコンポーネントキャリアが同一周波数帯域にあり、同じタイミングアドバンスを有し、且つ基地局と同期するものである。
【０１８７】
前文のように、プライマリコンポーネントキャリアの更新について、好適な方式は、応用シーンによっては切り替えフロー又は再配置フローを適当に選択することであるので、基地局と端末がそれぞれ同時に切り替えフローと再配置フローを処理する能力を備えることが好ましい。端末２５２０について、前文の説明から分かるように、切り替えフローが図３０に示す端末２５２０の全部の図示部品を使用し、再配置フローがその中の一部の部品のみを使用する。従って、切り替えフローを実現できる端末は、再配置フローも実現できる。
【０１８８】
しかしながら、ＲＲＣ再配置情報が基地局により送信されるので、切り替えフローを用いるか、それとも再配置フローを用いるかは基地局により決定される。従って、図３１に示すように、切り替えフローと再配置フローを同時にサポートする基地局2４２０において、上記状態確定ユニットは、さらに、状態取得ユニット２４０２が取得した情報に基づいて新しいプライマリコンポーネントキャリアと古いプライマリコンポーネントキャリアとが同一基地局に属するかどうかを判断するように配置される。もちろん、当該判断は、基地局２４２０における何れかの部品により判断され、結果をプライマリコンポーネントキャリア更新ユニット２４０６へ通知してもよい。一般的に、例えば、基地局自身が端末の現在のプライマリコンポーネントキャリアを分かっていて、プライマリコンポーネントキャリアを選択する過程において、基地局により新しいプライマリコンポーネントキャリアを策定するか、端末により新しいプライマリコンポーネントキャリアを策定して基地局に通知する（例えば、基地局へプライマリコンポーネントキャリアを更新する要求を発する）ので、基地局は、上記情報に基づいて新しいプライマリコンポーネントキャリアと古いプライマリコンポーネントキャリアが同一基地局に属するかどうかを判断することができる。端末が、必ず、現在属する基地局（即ち、古いプライマリコンポーネントキャリアの属する基地局）へプライマリコンポーネントキャリアを更新することを要求するので、基地局の上記判断は、新しいプライマリコンポーネントキャリアが当該基地局自身のキャリアであるかどうかを判断するものである。
【０１８９】
それに対し、上記再配置情報送信ユニット２４０６２は、さらに、異なる場合に異なる配置情報を送信するように配置される。つまり、新しいプライマリコンポーネントキャリアと古いプライマリコンポーネントキャリアが同一基地局に属する場合に、端末へ送信する「無線リソース制御」再配置情報が上記新しいプライマリコンポーネントキャリアの無線リソース配置情報のみを含み、端末により新しいプライマリコンポーネントキャリアを配置するのに用いられ、新しいプライマリコンポーネントキャリアと古いプライマリコンポーネントキャリアが同一基地局に属しない場合に、上記「無線リソース制御」再配置情報が移動制御情報を含み、上記移動制御情報が端末によりＭＡＣ、ＰＤＣＰ、ＲＬＣレイヤを新たに配置し、セキュリティキーを更新するための情報、及び端末が新しいプライマリコンポーネントキャリアを配置するための無線リソース配置情報を含む。
【０１９０】
また、新しいプライマリコンポーネントキャリアと古いプライマリコンポーネントキャリアが異なる基地局に属し切り替えフローを用いる場合に、前文のように、図３１に示すように、端末２５２０のランダムアクセスユニット２５１０は、新しい基地局２４２０’のランダムアクセスユニット２４０６４’と対話し、古い基地局２４２０のランダムアクセスユニット２４０６４と対話しない。この場合に、新しい基地局２４２０’のランダムアクセスユニット２４０６４’と古い基地局２４２０のランダムアクセスユニット２４０６４は、異なる基地局実体に属する同じ部品であってもよく、異なる部品であってもよく、古い基地局２４２０と新しい基地局２４２０’が必ずしも完全に同じではない。理想的な状態で、古い基地局２４２０と新しい基地局２４２０’は、同じ構成を有するべきであり、図３１において、簡明のために、新しい基地局２４２０’の一部の部品のみを図示している。以下に係るアクティベーション解除ユニットの場合は類似である。
【０１９１】
端末が古いプライマリコンポーネントキャリアに暗黙的アクティベーション解除を用いなければ、基地局は、アクティベーション解除命令送信ユニットを使用する必要がある。ランダムアクセスユニットの場合に類似し、新しいプライマリコンポーネントキャリアと古いプライマリコンポーネントキャリアとが異なる基地局に属して切り替えフローを用いた場合に、新しい基地局２４２０’によりアクティベーション解除命令を送信するべきであり、つまり、新しい基地局２４２０’のアクティベーション解除命令送信ユニット２４０６６’と端末２５２０のアクティベーション解除ユニット２５０８とが対話し、図３１に示すようである。
【０１９２】
なお、新しいプライマリコンポーネントキャリアと古いプライマリコンポーネントキャリアとが異なる基地局に属して切り替えフローを用いる場合に、異なる基地局に係り、また異なる基地局の間の受け渡しに係る。従って、上記基地局は、さらに切り替え要求ユニット３１０２を含んでもよい。当該切り替え要求ユニット３１０２は新しいプライマリコンポーネントキャリアと古いプライマリコンポーネントキャリアとが同じ基地局に属しない場合に、新しいプライマリコンポーネントキャリアの属する基地局へ切り替え要求を送信し、新しいプライマリコンポーネントキャリアの属する基地局から関連情報を取得して、再配置情報送信ユニットにより端末に送信するＲＲＣ再配置情報を準備するようにする。詳細は、方法の部分で記述したので、ここで重複しない。
【０１９３】
また、上記プライマリコンポーネントキャリア更新ユニットは、さらにアクティベーション命令送信ユニット（図示せず）をさらに含んでもよい。当該アクティベーション命令送信ユニットは新しいプライマリコンポーネントキャリアがまだ初期配置されていないか、又はアクティベーションされていない場合に、上記再配置情報送信ユニットが「無線リソース制御」再配置情報を送信する前に、同時に、又は端末が上記「無線リソース制御」再配置情報を利用して配置した後にアクティベーション命令を送信し、上記新しいプライマリコンポーネントキャリアをアクティベーションする。また、上記基地局は、新しいプライマリコンポーネントキャリアがまだ初期配置されていない場合に、端末へ当該プライマリコンポーネントキャリアを初期配置（添加）する命令を送信する初期配置ユニット（図示せず）をさらに含んでもよい。
【０１９４】
それに対し、上記端末は、基地局の送信したアクティベーション命令を受信し、新しいプライマリコンポーネントキャリアをアクティベーションするプライマリコンポーネントキャリアアクティベーションユニット（図示せず）をさらに含んでもよい。また、基地局の命令に応答してプライマリコンポーネントキャリアを添加する初期配置ユニット（図示せず）をさらに含んでもよい。
【０１９５】
よって、図２９、３０、３１に示すように、上記記述は、既に上記端末の各実施形態と上記基地局の各実施形態からなる通信システムを開示した。
【０１９６】
第１３実施形態
第１１実施形態が記述したコンポーネントキャリアを更新する方法は、通信システムにおいて基地局と端末により協力で行われた。
【０１９７】
従って、本実施形態において、それぞれ前述各実施形態を実現できる端末、基地局、通信システムを提出した。
【０１９８】
本実施形態及び後の各実施形態の端末、基地局、通信システムに対する記述において、必要がない限り、前述各実施形態の詳細な記述を重複せず、前述各実施形態の記述を参照することができる。
【０１９９】
図３２に示すように、キャリアアグリゲーション通信ネットワークにおける基地局３０００と端末３０２０とが通信して、セカンダリコンポーネントキャリアの更新を完成する。具体的に、当該端末は、端末、基地局及び／又はセカンダリコンポーネントキャリアの状態情報を取得する状態取得ユニット３００２と、上記状態情報が予定条件に符合するかどうかを確定する状態確定ユニット３００４と、上記予定条件に符合する場合に、新しいセカンダリコンポーネントキャリアを添加するか、又は新しいセカンダリコンポーネントキャリアで古いセカンダリコンポーネントキャリアを取り替えるセカンダリコンポーネントキャリア更新ユニット３００６とを含む。
【０２００】
具体的に、状態取得ユニット３００２は、状態確定ユニット３００４がセカンダリコンポーネントキャリア更新条件を満足するかどうかを確定するための情報を取得する。どの情報を取得する必要があるかは、上記更新条件に依存し、更新条件は、具体的な応用に基づいて任意に設定することができる。
【０２０１】
例えば、上記予定条件は、以下の条件の少なくとも一つを含む。
【０２０２】
１．業務のニーズのため、より多いセカンダリコンポーネントキャリアを要する。
【０２０３】
２．端末が古いセカンダリコンポーネントキャリアのカバー範囲外に移動する。
【０２０４】
３．古いセカンダリコンポーネントキャリアの信号品質が低下する。
【０２０５】
４．古いセカンダリコンポーネントキャリアのアップリンク、ダウンリンクの物理リソース数量が足りない。
【０２０６】
５．元基地局がネットワーク全体負荷バランス及びユーザーの間の干渉問題に対する考慮によりプライマリコンポーネントキャリアを更新することを要求する。
【０２０７】
６．  端末が新しい基地局のカバー範囲内に移動する。
【０２０８】
それでは、第２と第６項の条件に対して、端末位置と、対応する基地局のプライマリコンポーネントキャリアのカバー範囲に基づいて判断する必要がある。第３項の条件に対して、端末から信号品質情報を取得する必要がある。第４項の条件に対して、基地局から関連情報を得る必要がある。第１、５項の条件は、完全に基地局からの命令である。
【０２０９】
よって、上記予定条件によっては状態取得ユニット３００２が、基地局自身のみから関連情報を取得するだけで端末３０２０と対話する必要がない可能性があり、端末３０２０と対話して関連情報を取得する必要がある可能性もある。情報の具体的取得方式について、前文のコンポーネントキャリアの選択に関する記述においてすでに記述され、ここで重複しない。
【０２１０】
セカンダリコンポーネントキャリア更新ユニット３００６と端末３００２とが対話してセカンダリコンポーネントキャリアの更新を完成する。一つの実施形態において、図３３に示すように、上記セカンダリコンポーネントキャリア更新ユニット３００６は、再配置情報送信ユニット３００６２を含んでもよい。当該再配置情報送信ユニット３００６2は端末へ「無線リソース制御」再配置情報を送信し、上記「無線リソース制御」再配置情報が上記新しいセカンダリコンポーネントキャリアの無線リソース配置情報のみを含み、端末により新しいセカンダリコンポーネントキャリアを配置することに用いられる。
【０２１１】
それに対し、本実施形態は、対応する端末３０２０をさらに提供し、図３３に示すように、基地局から「無線リソース制御」再配置情報を受信する再配置情報受信ユニット3022と、上記「無線リソース制御」再配置情報に含まれている無線リソース配置情報に基づいて新しいセカンダリコンポーネントキャリアを配置する無線リソース配置ユニット3024とを含む。
【０２１２】
また、上記セカンダリコンポーネントキャリアア更新ユニットは、さらにアクティベーション命令送信ユニット３００６６を含んでもよい。当該アクティベーション命令送信ユニット３００６６は新しいセカンダリコンポーネントキャリアを添加し又は新しいセカンダリコンポーネントキャリアで古いセカンダリコンポーネントキャリアを取り替えた後にアクティベーション命令を送信し、上記新しいセカンダリコンポーネントキャリアをアクティベーションし、又は新しいセカンダリコンポーネントキャリアがまだ初期配置されてない、又は、アクティベーションされていない場合に、上記再配置情報送信ユニットが「無線リソース制御」再配置情報を送信する前に或いは同時にアクティベーション命令を送信し、上記新しいセカンダリコンポーネントキャリアをアクティベーションするのに用いられる。
【０２１３】
それに対し、上記端末は、基地局の送信したアクティベーション命令を受信して、セカンダリコンポーネントキャリアをアクティベーションするセカンダリコンポーネントキャリアアクティベーションユニット3028をさらに含んでもよい。
【０２１４】
よって、図３２、33に示すように、上記記述は、既に上記端末の各実施形態と上記基地局の各実施形態からなる通信システムを開示した。
【０２１５】
以上、本願のいくつの実施形態を詳細に記述した。当業者は、本発明の方法と装置の全部又は何れかのステップ又は部品は、プロセッサー、記憶媒体等の何れかのコンピュータデバイス（通信デバイスを含む）又はコンピュータデバイスのネットワーク（通信ネットワークを含む）において、ハードウェア、ファームウエア、ソフトウェア、又はその組み合わせとして実施することができるということを理解でき、これは、当業者が本発明の内容を理解したうえで基本的な設計能力で実現できるので、ここで具体的な説明の必要がない。
【０２１６】
以上の説明において、可能な外部操作に係る場合に、何れかのコンピュータデバイスに接続した何れかの表示デバイスと何れかの入力デバイス、対応するインターフェースと制御プログラムを使用する必要がある。とにかく、コンピュータ、コンピュータシステム又はコンピュータネットワークにおける関連ハードウェア、ソフトウェア、本発明の前述方法における各種操作を実現するハードウェア、ファームウエア、ソフトウェア、又はその組み合わせは、本発明のデバイス及びその各構成部品を構成する。
【０２１７】
従って、以上の理解に基づいて、本発明の目的は、何れかの情報処理デバイス上に一つのプログラム又は1組のプログラムを実行することにより実現してもよい。上記情報処理デバイスは、公知の汎用デバイスであってもよい。従って、本発明の目的は、上記方法又はデバイスを実現するプログラムコードを含むプログラム製品のみを提供することにより実現されてもよい。つまり、このようなプログラム製品も本発明を構成し、このような製品を記憶した記憶媒体も本発明を構成する。上記記憶媒体は、当業者が知っているもの、又は将来開発していくいかなるタイプの記憶媒体であってもよく、フロッピー（登録商標）ディスク、光ディスク、光磁気ディスク、メモリカード、メモリースティック等が含まれるが、これに限られない。
【０２１８】
本発明のデバイスと方法において、各部品又は各ステップは、分解、組み合せ及び／又は分解した後に新たに組み合わせたものであってもよい。これら分解及び／又は新たに組み合わせは、本発明の等価方案と見なされるべきである。
【０２１９】
ここで、指摘すべきことは、上記一連の処理を実行するステップは、当然に、説明した手順に従って実行されてもよいが、必ずしも、時間順に従って実行される必要がない。あるステップは、並行又は互に独立に実行されてよい。
【０２２０】
また、以上で、一つの実施形態毎に記述したが、各実施形態が孤立しないと理解すべきである。当業者は、本願を読んでから、各実施形態に含まれている各種の技術的特徴が、各実施形態の間で自在に組み合わせることができ、これら同士が衝突さえなければよいということを明らかに理解できる。もちろん、同一実施形態で言及した全ての技術的特徴同士が任意に組み合わせてもよく、これら同士が衝突さえなければよい。
【０２２１】
最後に、専門用語「備える」、「含む」又はその他の変体は、非排他性に含むことを意味する。一連の要素を含む過程、方法、物品又はデバイスは、それら要素だけでなく、明確に挙げていない他の要素も含み、または、さらに過程、方法、物品又はデバイスに固有される要素を含む。より多い制限がない場合に、語句「一つの……を含む」に制限された要素は、上記要素を含む過程、方法、物品又はデバイスに他の同じ要素がさらに存在していることを排除しない
【０２２２】
図面に基づいて本実施形態及びその利点を詳細に説明したが、以上で記述した実施形態は、本発明を説明するためであり、制限的なものではないということが理解すべきである。当業者は、本発明の本質と範囲から離れない前提で上記実施形態に対して各種の修正と変更を行うことができる。従って、本発明の範囲は、付加した請求項及びその等価意味で限定され、付加した請求項に限定された本発明の精神と範囲を超えない場合に、各種修正、取替、変換を行うことができる。
【図１】
0005454736.tif 000002
【図２】
0005454736.tif 000003
【図３】
0005454736.tif 000004
【図４】
0005454736.tif 000005
【図５】
0005454736.tif 000006
【図６】
0005454736.tif 000007
【図７】
0005454736.tif 000008
【図８】
0005454736.tif 000009
【図９】
0005454736.tif 000010
【図１０】
0005454736.tif 000011
【図１１】
0005454736.tif 000012
【図１２】
0005454736.tif 000013
【図１３】
0005454736.tif 000014
【図１４】
0005454736.tif 000015
【図１５】
0005454736.tif 000016
【図１６】
0005454736.tif 000017
【図１７】
0005454736.tif 000018
【図１８】
0005454736.tif 000019
【図１９】
0005454736.tif 000020
【図２０】
0005454736.tif 000021
【図２１】
0005454736.tif 000022
【図２２】
0005454736.tif 000023
【図２３】
0005454736.tif 000024
【図２４】
0005454736.tif 000025
【図２５】
0005454736.tif 000026
【図２６】
0005454736.tif 000027
【図２７】
0005454736.tif 000028
【図２８】
0005454736.tif 000029
【図２９】
0005454736.tif 000030
【図３０】
0005454736.tif 000031
【図３１】
0005454736.tif 000032
【図３２】
0005454736.tif 000033
【図３３】
0005454736.tif 000034